(57)【要約】  本開示で紹介される技術は電気通信に関連する。例えば、無線端末３０を動作させる方法が紹介される。タイミングアドバンスコマンド（ＴＡＣ）制御エレメント（ＣＥ）が、無線インタフェースを介して（ネットワークノード２８から）受信される。その方法は、ＴＡＣ  ＣＥの受信に応じて、関連付けられたＴＡグループのためのＴＡタイマが起動していない場合であっても、タイミングアドバンス（ＴＡ）グループ内のセルに対するＵＬ（上りリンク）送信タイミングを更新することにより、継続する。【選択図】  図１７
2015516775.tif 000002
【特許請求の範囲】
【請求項１】
無線端末（３０）であって、
無線インタフェース（３２）を介して、ネットワークノード（２８）からタイミングアドバンスコマンド制御エレメント（４２）を受信するように構成される通信インタフェース（７６）と、
前記タイミングアドバンスコマンド制御エレメント（４２）の受信に応じて、関連付けられたタイミングアドバンス（ＴＡ）グループのためのＴＡタイマが起動されていない場合であっても、当該ＴＡグループ内のセルに対する上りリンク（ＵＬ）送信タイミングを更新するように構成されるＵＬ送信タイミング更新手段（５０）と、
を有することを特徴とする無線端末。
【請求項２】
前記ＵＬ送信タイミング更新手段（５０）はコントローラである、
ことを特徴とする請求項１に記載の無線端末。
【請求項３】
前記ＵＬ送信タイミング更新手段（５０）は、前記ＴＡグループ内の前記セルに対する前記ＵＬ送信タイミングを、オフセット量によりオフセットされたそのＴＡグループの下りリンク（ＤＬ）受信タイミングとなるように更新するように構成される、
ことを特徴とする請求項１又は２に記載の無線端末。
【請求項４】
前記ＵＬ送信タイミング更新手段（５０）は、前記ＴＡグループ内の前記セルに対する前記ＵＬ送信タイミングを、タイミングアドバンス参照値（ＮTA_Ref）及びタイミングアドバンスオフセット値（ＮTA_offset）の和によってオフセットされたそのＴＡグループのＤＬ受信タイミングとなるように更新するように構成される、
ことを特徴とする請求項１から３のいずれか１項に記載の無線端末。
【請求項５】
前記ＵＬ送信タイミング更新手段（５０）は、ＴＡグループ内のセルに対する前記ＵＬ送信タイミングを、現在使用されているタイミングアドバンス値（ＮTA）によってオフセットされたそのＴＡグループのＤＬ受信タイミングとなるように更新するように構成される、
ことを特徴とする請求項１から４のいずれか１項に記載の無線端末。
【請求項６】
前記ＵＬ送信タイミング更新手段（５０）は、関係する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新するように構成される、
ことを特徴とする請求項１から５のいずれか１項に記載の無線端末。
【請求項７】
前記ＵＬ送信タイミング更新手段（５０）は、同一の前記ＴＡグループに属する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新するように構成される、
ことを特徴とする請求項１から５のいずれか１項に記載の無線端末。
【請求項８】
前記ＵＬ送信タイミング更新手段（５０）は、さらに、前記上りリンクにおいて送信しない場合であってもその送信器を起動したままにしておくことにより、ＵＬ伝送がある場合、及び、ＵＬ伝送がない場合に、そのＵＬタイミングを調整するように構成される、
ことを特徴とする請求項１から７のいずれか１項に記載の無線端末。
【請求項９】
前記ＵＬ送信タイミング更新手段（５０）は、さらに、前記上りリンクにおいて送信しない場合であってもその送信器を起動したままにしておくことにより、ＵＬ伝送があると否とによらず、そのＵＬタイミングを調整するように構成される、
ことを特徴とする請求項１から７のいずれか１項に記載の無線端末。
【請求項１０】
前記ＵＬ送信タイミング更新手段（５０）は、さらに、その送信器が前記上りリンクにおいて送信しない場合の当該送信器の動作のために選択されたスルーレートパラメータであって、前記無線端末（３０）がＵＬタイミング調整を実行するレートに関連付けられたパラメータであるスルーレートパラメータに従って、前記上りリンクにおいて送信しない場合であっても前記送信器を起動したままにしておくように構成される、
ことを特徴とする請求項１から９のいずれか１項に記載の無線端末。
【請求項１１】
前記無線端末（３０）が、関連付けられた前記ＴＡグループのための前記ＴＡタイマが起動していない場合であっても前記ＴＡグループ内のセルに対するＵＬ送信タイミングを更新することができることを、前記ネットワークノードに報告するための手段をさらに有する、
ことを特徴とする請求項１から１０のいずれか１項に記載の無線端末。
【請求項１２】
前記ネットワークノードに報告するための前記手段は、能力通知部（７８）を含む、
ことを特徴とする請求項１１に記載の無線端末。
【請求項１３】
前記ネットワークノードに報告するための前記手段は、送信器または送受信器を含む、
ことを特徴とする請求項１１又は１２に記載の無線端末。
【請求項１４】
前記通信インタフェース（７６）は、前記無線端末（３０）が、関連付けられた前記ＴＡグループのための前記ＴＡタイマが起動していない場合であっても前記ＴＡグループ内のセルに対するＵＬ送信タイミングを更新することができることを、前記ネットワークノードに報告するように構成される、
ことを特徴とする請求項１から１０のいずれか１項に記載の無線端末。
【請求項１５】
前記無線端末（３０）は、さらに、関連付けられた前記ＴＡグループのための前記ＴＡタイマが起動していない場合であっても前記タイミングアドバンス（ＴＡ）グループ内の前記セルに対する前記ＵＬ送信タイミングを更新するための、複数の異なる更新モードの間での選択を行うように構成される、
ことを特徴とする請求項１から１４のいずれか１項に記載の無線端末。
【請求項１６】
前記無線端末（３０）は、さらに、前記ネットワークノードからの受信情報に基づいて若しくは１つ以上の所定のルールに従って、又は前記ネットワークノードからの受信情報に基づくと共に前記１つ以上の所定のルールに従って、前記選択を行うように構成される、
ことを特徴とする請求項１５に記載の無線端末。
【請求項１７】
前記ＴＡグループ内の前記セルは、前記ＴＡグループ内のサービングセルである、
ことを特徴とする請求項１から１６のいずれか１項に記載の無線端末。
【請求項１８】
無線端末を動作させる方法であって、
無線インタフェースを介して、ネットワークノードからタイミングアドバンスコマンド制御エレメントを受信すること（Ｓ１００）と、
前記タイミングアドバンスコマンド制御エレメントの受信に応じて、関連付けられたタイミングアドバンス（ＴＡ）グループのためのＴＡタイマが起動されていない場合であっても、当該ＴＡグループ内のセルに対する上りリンク（ＵＬ）送信タイミングを更新すること（Ｓ１１０）と、
を含むことを特徴とする方法。
【請求項１９】
前記ＴＡグループ内の前記セルに対する前記ＵＬ送信タイミングを、オフセット量によりオフセットされたそのＴＡグループの下りリンク（ＤＬ）受信タイミングとなるように更新することをさらに含む、
ことを特徴とする請求項１８に記載の方法。
【請求項２０】
前記ＴＡグループ内の前記セルに対する前記ＵＬ送信タイミングを、タイミングアドバンス参照値（ＮTA_Ref）及びタイミングアドバンスオフセット値（ＮTA_offset）の和によってオフセットされたそのＴＡグループの下りリンク（ＤＬ）受信タイミングとなるように更新すること（Ｓ１２０）をさらに含む、
ことを特徴とする請求項１８又は１９に記載の方法。
【請求項２１】
前記ＴＡグループ内の前記セルに対する前記ＵＬ送信タイミングを、現在使用されているタイミングアドバンス値（ＮTA）によってオフセットされたそのＴＡグループのＤＬ受信タイミングとなるように更新すること（Ｓ１３０）をさらに含む、
ことを特徴とする請求項１８から２０のいずれか１項に記載の方法。
【請求項２２】
関係するサービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新すること（Ｓ１４０）をさらに含む、
ことを特徴とする請求項１８から２１のいずれか１項に記載の方法。
【請求項２３】
同一の前記ＴＡグループに属する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新すること（Ｓ１４０）をさらに含む、
ことを特徴とする請求項１８から２１のいずれか１項に記載の方法。
【請求項２４】
前記上りリンクにおいて送信しない場合であっても前記無線端末の送信器を起動したままにしておくことにより、ＵＬ伝送がある場合、及び、ＵＬ伝送がない場合に、前記ＵＬタイミングを更新することをさらに含む、
ことを特徴とする請求項１８から２３のいずれか１項に記載の方法。
【請求項２５】
前記上りリンクにおいて送信しない場合であってもその送信器を起動したままにしておくことにより、ＵＬ伝送があると否とによらず、前記ＵＬタイミングを調整することをさらに含む、
ことを特徴とする請求項１８から２３のいずれか１項に記載の方法。
【請求項２６】
送信器が前記上りリンクにおいて送信しない場合の当該送信器の動作のために選択されたスルーレートパラメータであって、前記無線端末がＵＬタイミング調整を実行するレートに関連付けられたパラメータであるスルーレートパラメータに従って、前記上りリンクにおいて送信しない場合であっても前記送信器を起動したままにしておくことをさらに含む、
ことを特徴とする請求項１８から２５のいずれか１項に記載の方法。
【請求項２７】
前記無線端末が、関連付けられた前記ＴＡグループのための前記ＴＡタイマが起動していない場合であっても前記ＴＡグループ内のセルに対するＵＬ送信タイミングを更新することができることを、前記ネットワークノードに報告することをさらに含む、
ことを特徴とする請求項１８から２６のいずれか１項に記載の方法。
【請求項２８】
関連付けられた前記ＴＡグループのための前記ＴＡタイマが起動していない場合であっても前記ＴＡグループ内の前記セルに対する前記ＵＬ送信タイミングを更新するための、複数の異なる更新モードの間での選択を行うことをさらに含む、
ことを特徴とする請求項１８から２６のいずれか１項に記載の方法。
【請求項２９】
前記ネットワークノードからの受信情報に基づいて若しくは１つ以上の所定のルールに従って、又は前記ネットワークノードからの受信情報に基づくと共に前記１つ以上の所定のルールに従って、前記選択を行うことをさらに含む、
ことを特徴とする請求項２８に記載の方法。
【請求項３０】
ネットワークノード（２８）であって、
無線インタフェース（３２）を介して、無線端末（３０）と情報を通信するように構成される通信インタフェース（６６）と、
前記無線端末がタイミングアドバンス（ＴＡ）グループ内のセルに対する上りリンク（ＵＬ）送信タイミングを更新するのに使用するための複数の異なる更新モードの間での選択を行うための手段（６２）であって、前記異なるモードは、関連付けられた前記ＴＡグループのためのＴＡタイマが起動していない場合であってもＴＡグループ内の前記セルに対する前記ＵＬ送信タイミングを更新する異なる個別の方法を含む、手段（６２）と、
を有することを特徴するネットワークノード。
【請求項３１】
前記複数の異なる更新モードの間での選択を行うための手段（６２）は、
−前記ＴＡグループ内の前記セルに対する前記ＵＬ送信タイミングを、オフセット量によってオフセットされた、そのＴＡグループの下りリンク（ＤＬ）受信タイミングとなるように更新する更新モード、
−前記ＴＡグループ内の前記セルに対する前記ＵＬ送信タイミングを、タイミングアドバンス参照値（ＮTA_Ref）とタイミングアドバンスオフセット値（ＮTA_offset）との和によってオフセットされた、そのＴＡグループの下りリンク（ＤＬ）受信タイミングとなるように更新する（Ｓ１２０）更新モード、
−前記ＴＡグループ内の前記セルに対する前記ＵＬ送信タイミングを、現在使用されているタイミングアドバンス値（ＮTA）によってオフセットされた、そのＴＡグループのＤＬ受信タイミングとなるように更新する（Ｓ１３０）更新モード、及び
−関係するサービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新する（Ｓ１４０）更新モード、
の間で、前記選択を行うように構成される、
ことを特徴とする請求項３０に記載のネットワークノード。
【請求項３２】
選択のための前記手段（６２）は、
−ＵＬ送信タイミング調整後の残存送信タイミング誤差、
−現在のＵＬ送信誤差、
−頻繁な若しくは大きい、又は頻繁で大きいＤＬタイミングドリフト、
−データ又はサービスの重要性、及び
−無線環境または無線チャネル特性、
の１つ以上の基準に基づいて、前記無線端末が使用するための複数の異なる更新モードの間での前記選択を行うように構成される、
ことを特徴とする請求項３１に記載のネットワークノード。
【請求項３３】
前記通信インタフェース（６６）は、関連付けられた前記ＴＡグループのための前記ＴＡタイマが起動していない場合であっても前記無線端末（３０）が前記ＴＡグループ内のセルに対するＵＬ送信タイミングを更新することができることの情報を、前記無線端末（３０）から受信するように構成される、
ことを特徴とする請求項３０から３２のいずれか１項に記載のネットワークノード。
【請求項３４】
複数の更新モードの間での選択を行うための前記手段（６２）は、選択部を含む、
ことを特徴とする請求項３０から３３のいずれか１項に記載のネットワークノード。
【請求項３５】
複数の更新モードの間での選択を行うための前記手段（６２）は、媒体アクセス制御（ＭＡＣ）エンティティ（６２）又は無線リソース制御（ＲＲＣ）エンティティを含む、
ことを特徴とする請求項３０から３３のいずれか１項に記載のネットワークノード。
【請求項３６】
前記ＴＡグループ内の前記セルは、前記ＴＡグループ内のサービングセルである、
ことを特徴とする請求項３０から３５のいずれか１項に記載のネットワークノード。
【請求項３７】
ネットワークノードを動作させる方法であって、
無線インタフェースを介して、無線端末と情報を通信すること（Ｓ２００）と、
前記無線端末がタイミングアドバンス（ＴＡ）グループ内のセルに対する上りリンク（ＵＬ）送信タイミングを更新するのに使用するための複数の異なる更新モードの間での選択を行うこと（Ｓ２１０）と、
を含み、
前記異なるモードは、関連付けられた前記ＴＡグループのためのＴＡタイマが起動していない場合であってもＴＡグループ内の前記セルに対する前記ＵＬ送信タイミングを更新する異なる個別の方法を含む、
ことを特徴する方法。
【請求項３８】
前記ＴＡグループ内のセルに対する前記ＵＬ送信タイミングを更新するのに使用するための選択された前記モードに関する情報を、前記無線端末へ送信すること（Ｓ２２０）をさらに含む、
ことを特徴とする請求項３７に記載の方法。
【請求項３９】
前記無線端末が使用するための更新モードであって、
−前記ＴＡグループ内の前記セルに対する前記ＵＬ送信タイミングを、オフセット量によってオフセットされた、そのＴＡグループの下りリンク（ＤＬ）受信タイミングとなるように更新する更新モード、
−前記ＴＡグループ内の前記セルに対する前記ＵＬ送信タイミングを、タイミングアドバンス参照値（ＮTA_Ref）とタイミングアドバンスオフセット値（ＮTA_offset）との和によってオフセットされた、そのＴＡグループの下りリンク（ＤＬ）受信タイミングとなるように更新する更新モード、
−前記ＴＡグループ内の前記セルに対する前記ＵＬ送信タイミングを、現在使用されているタイミングアドバンス値（ＮTA）によってオフセットされた、そのＴＡグループのＤＬ受信タイミングとなるように更新する更新モード、及び
−関係するサービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新する更新モード、
の間で、前記選択（Ｓ２１０）が行われる、
ことを特徴とする請求項３７又は３８に記載の方法。
【請求項４０】
前記無線端末が使用するための複数の異なる更新モードの間での前記選択（Ｓ２１０）は、
−ＵＬ送信タイミング調整後の残存送信タイミング誤差、
−現在のＵＬ送信誤差、
−頻繁な若しくは大きい、又は頻繁で大きいＤＬタイミングドリフト、
−データ又はサービスの重要性、及び
−無線環境または無線チャネル特性、
の１つ以上の基準に基づく、
ことを特徴とする請求項３９に記載の方法。
【請求項４１】
前記無線端末から、関連付けられた前記ＴＡグループのための前記ＴＡタイマが起動していない場合であっても前記無線端末（３０）が前記ＴＡグループ内のセルに対するＵＬ送信タイミングを更新することができることの情報を受信することをさらに含む、
ことを特徴とする請求項３７から４０のいずれか１項に記載の方法。
【請求項４２】
前記ＴＡグループ内の前記セルは、前記ＴＡグループ内のサービングセルである、
ことを特徴とする請求項３７から４１のいずれか１項に記載の方法。
【請求項４３】
無線端末（３０）であって、
無線インタフェース（３２）を介して、ネットワークノード（２８）からタイミングアドバンスコマンド制御エレメント（４２）を受信するように構成される通信インタフェース（７６）と、
関連付けられたタイミングアドバンス（ＴＡ）グループのためのＴＡタイマが起動していない場合であっても前記ＴＡグループ内のサービングセルに対する上りリンク（ＵＬ）送信タイミングを更新するように構成されるＵＬ送信タイミング更新手段（５０）と、
を有し、
前記送信タイミング更新手段（５０）は、さらに、同一の前記ＴＡグループに属する前記サービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することにより、前記ＴＡグループ内の前記サービングセルに対するＵＬ送信タイミングを更新するように構成される、
ことを特徴とする無線端末。
【請求項４４】
前記無線端末（３０）は、前記サービングセルのフレームの前記送信タイミングにおける変化に追従して、対応して各伝送のためのその送信タイミングを調整することが要求される、
ことを特徴とする請求項４３に記載の無線端末。
【請求項４５】
無線端末を動作させる方法であって、
無線インタフェースを介して、ネットワークノードからタイミングアドバンスコマンド制御エレメント（４２）を受信すること（Ｓ１００）と、
関連付けられたタイミングアドバンス（ＴＡ）グループのためのＴＡタイマが起動していない場合であっても前記ＴＡグループ内のサービングセルに対する上りリンク（ＵＬ）送信タイミングを更新すること（Ｓ１１０）と、
を含み、
前記更新することは、さらに、同一の前記ＴＡグループに属する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することにより、前記ＴＡグループ内の前記サービングセルに対するＵＬ送信タイミングを更新すること（Ｓ１４０）を含む、
ことを特徴とする方法。
【請求項４６】
前記サービングセルのフレームの前記送信タイミングにおける変化に追従して、対応して各伝送のための前記送信タイミングを調整することをさらに含む、
ことを特徴とする請求項４５に記載の方法。
【発明の詳細な説明】
【技術分野】
【０００１】
本開示で紹介される技術は電気通信、特に、無線端末からネットワークノードへの上りリンク（ＵＬ）において情報を送信する方法及び装置に関する。
【背景技術】
【０００２】
（１．０  電気通信ネットワーク）
典型的なセルラ無線システムでは、（移動局とユーザ端末（ＵＥ）との少なくともいずれかとしても知られる）無線端末が、無線アクセスネットワーク（ＲＡＮ）を介して、１つ以上のコアネットワークと通信をする。無線アクセスネットワーク（ＲＡＮ）は、セル領域に分割される地理的領域をカバーし、各セル領域は、基地局、例えば、いくつかのネットワークでは、「ＮｏｄｅＢ」（ＵＭＴＳ、すなわち、ユニバーサル移動体通信システム）又は「ｅＮｏｄｅＢ」若しくは「ｅＮＢ」（ＬＴＥ、すなわち、ロングタームエボリューション）とも例えば呼ばれうる無線基地局（ＲＢＳ）によってサービスが提供される。セルは、基地局の敷地における無線基地局装置によって無線カバレッジが提供される地理的領域である。各セルは、そのセルにおいてブロードキャストされるローカル無線エリア内の識別子によって識別される。基地局は、その基地局の範囲内のユーザ端末ユニット（ＵＥ）と、無線周波数で動作するエアインタフェースを介して、通信する。
【０００３】
無線アクセスネットワークのいくつかのバージョンでは、いくつかの基地局は、通常、接続された複数の基地局の様々な動作を管理して調整する（無線ネットワーク制御装置（ＲＮＣ）又は基地局制御装置（ＢＳＣ）のような）制御装置ノードに、（例えば、地上の通信線又はマイクロ波によって）接続される。無線ネットワーク制御装置は、通常、１つ以上のコアネットワークに接続される。
【０００４】
（２．０  ＵＭＴＳ）
ユニバーサル移動体通信システム（ＵＭＴＳ）は、第２世代（２Ｇ）の移動通信用グローバルシステム（ＧＳＭ（登録商標））から発展した、第３世代の移動体通信システムである。ユニバーサル地上無線アクセスネットワーク（ＵＴＲＡＮ）は、基本的に、ユーザ端末ユニット（ＵＥ）に対して広帯域符号分割多元接続（ＷＣＤＭＡ（登録商標））を使用する無線アクセスネットワークである。第３世代パートナーシッププロジェクト（３ＧＰＰ）として知られるフォーラムにおいて、電気通信サプライヤは、特に第３世代のネットワークとＵＴＲＡＮの標準を提案して合意し、例えば、より一層のデータ速度および無線容量について調査している。
【０００５】
（３．０  ロングタームエボリューション（ＬＴＥ））
３ＧＰＰは、発展したユニバーサル地上無線アクセスネットワーク（Ｅ−ＵＴＲＡＮ）のための規格を作成している。発展型のユニバーサル地上無線アクセスネットワーク（Ｅ−ＵＴＲＡＮ）は、ロングタームエボリューション（ＬＴＥ）と、システムアーキテクチャエボリューション（ＳＡＥ）とを含む。ロングタームエボリューション（ＬＴＥ）は、３ＧＰＰ無線アクセス技術の変形であり、無線基地局ノードは、（アクセスゲートウェイ（ＡＧＷ））を介して、無線ネットワーク制御装置（ＲＮＣ）ノードではなく、コアネットワークへ接続される。一般に、ＬＴＥでは、無線ネットワーク制御装置（ＲＮＣ）ノードの機能は、無線基地局ノード（すなわち、ＬＴＥにおけるｅＮｏｄｅＢ）とＡＧＷとの間に分配される。そのようなものとして、ＬＴＥシステムの無線アクセスネットワーク（ＲＡＮ）は、基本的に、無線ネットワーク制御装置（ＲＮＣ）ノードへの報告を伴わない無線基地局ノードを有する「フラット」なアーキテクチャを有する。
【０００６】
（３．１  ＬＴＥ概説）
ＬＴＥは、下りリンクにおいてＯＦＤＭを、上りリンクにおいてＤＦＴスプレッドＯＦＤＭを使用する。基本的なＬＴＥの下りリンクの物理リソースは、従って、図１に図解するように、各リソースエレメントが１つのＯＦＤＭシンボル期間における１つのＯＦＤＭサブキャリアに対応する、時間−周波数グリッドとみなすことができる。
【０００７】
時間領域では、ＬＴＥの下りリンク伝送は、１０ｍｓの無線フレームに編成され、各無線フレームは、図２に示すように、長さＴsubframe＝１ｍｓの、１０個の等しいサイズのサブフレームからなる。
【０００８】
さらに、ＬＴＥにおけるリソース割り当ては、通常、時間領域における１スロット（０．５ｍｓ）及び周波数領域における１２個の連続するサブキャリアに対応する、リソースブロック（ＲＢ）に関して記述される。時間方向において２つの隣接するリソースブロックのペア（１．０ｍｓ）は、リソースブロックペアとして知られる。リソースブロックは、周波数領域において、システム帯域幅の一端から０で始まる番号が付される。
【０００９】
ＬＴＥでは、仮想リソースブロック（ＶＲＢ）及び物理リソースブロック（ＰＲＢ）の表記が導入されている。ＵＥへの実際のリソース割り当てはＶＲＢペアに関してなされる。２つのタイプのリソース割り当て、局所及び分散、がある。局所リソース割り当てでは、ＶＲＢペアは直接ＰＲＢペアにマッピングされ、従って、２つの連続し局所化されたＶＲＢは、周波数領域においてもまた、連続するＰＲＢとして配置される。一方で、分散ＶＲＢは、周波数領域において連続するＰＲＢにマッピングされない。これにより、これらの分散ＶＲＢを用いて伝送されるデータチャネルに対して、周波数ダイバーシチが与えられる。
【００１０】
下りリンク（ＤＬ）伝送は、通常、スケジューリングされ、すなわち、各サブフレームにおいて、基地局は、現在の下りリンクのサブフレームにおいて、どの端末に宛ててデータが伝送されるか、及びどのリソースブロックにおいてそのデータが送信されるかについての制御情報を送信する。この制御シグナリングは、通常、各サブフレームの最初の１、２、３又は４つのＯＦＤＭシンボルにおいて送信され、その数ｎ＝１、２、３又は４は、制御フォーマットインジケータ（ＣＦＩ）として知られる。下りリンクサブフレームは、また、受信器に知られており、例えば制御情報の同期復調に用いられる、共通参照シンボル（ＣＲＳ）を含む。制御としてＣＦＩ＝３個のＯＦＤＭシンボルの下りリンクシステムを図３に図解する。
【００１１】
（３．２  キャリアアグリゲーション）
ＬＴＥのＲｅｌ−１０規格（すなわち、ＬＴＥリリース１０規格、以下では、リリースをＲｅｌと短縮する）は、（ＬＴＥ  Ｒｅｌ−８の最大キャリア帯域幅である）２０ＭＨｚまでのコンポーネントキャリア（ＣＣ）帯域幅をサポートして、標準化されている。ＬＴＥ  Ｒｅｌ−１０の２０ＭＨｚより広い動作が可能であり、これは、ＬＴＥ  Ｒｅｌ−１０をサポートしているＬＴＥ  Ｒｅｌ−１０の端末、すなわちＵＥに対して、複数のＬＴＥ  ＣＣとして現れる。２０ＭＨｚより広い帯域幅を得るための単純な方法は、キャリアアグリゲーション（ＣＡ）を用いることである。ＣＡは、ＬＴＥ  Ｒｅｌ−１０の端末が、それぞれがＲｅｌ−８のキャリアと同じ構造を有する又は少なくとも有する可能性がある、複数のＣＣを受信することができることを意味する。ＣＡを図４に図解する。
【００１２】
Ｒｅｌ−１０標準は、５個までの集約されたＣＣをサポートし、各ＣＣは、６個の帯域幅、すなわち、６、１５、２５、５０、７５又は１００個のＲＢ（それぞれ１．４、３、５、１０、１５及び２０ＭＨｚに対応する）、の１つを有するように、ＲＦ規格において制限されている。
【００１３】
個別のＣＣの帯域幅と同様に、集約されるＣＣの数は、上りリンクと下りリンクとで異なり得る。対称構成は下りリンク（ＤＬ）及び上りリンク（ＵＬ）におけるＣＣの数が同一である場合を参照し、一方で、非対称構成はＤＬとＵＬとでＣＣの数が異なる場合を参照する。ネットワークにおいて設定されるＣＣの数は、端末から見えるＣＣの数と異なり得ることに注意することが重要である。端末は、例えば、ネットワークが同数の上りリンク及び下りリンクのＣＣを用意しているとしても、上りリンクのＣＣより多くの下りリンクのＣＣをサポートし得る。
【００１４】
ＣＣは、セルまたはサービングセルとも呼ばれうる。より具体的には、ＬＴＥネットワークにおいては、端末によって集約されるセルは、プライマリサービングセル（ＰＣｅｌｌ）及びセカンダリサービングセル（ＳＣｅｌｌｓ）と表記される。用語サービングセルは、ＰＣｅｌｌ及びＳＣｅｌｌの両方を含む。全ＵＥは、１つのＰＣｅｌｌを有する。どのセルがＵＥのＰＣｅｌｌであるかは、端末固有であると共に「より重要」であると考えられ、すなわち、肝要な制御シグナリング及び他の重要なシグナリングは、通常、ＰＣｅｌｌを介して取り扱われる。上りリンクの制御シグナリングは、常に、ＵＥのＰＣｅｌｌにおいて送信される。したがって、他の上りリンクデータと多重化されることが可能でない限り、上りリンクの制御シグナリングは、ＵＥのＰＣｅｌｌにおいて送信される。ＰＣｅｌｌとして設定されたコンポーネントキャリアはプライマリＣＣであり、一方で、全ての他のコンポーネントキャリアはセカンダリサービングセルである。
【００１５】
初期アクセスの間、ＬＴＥ  Ｒｅｌ−１０端末は、ＬＴＥ  Ｒｅｌ−８端末、すなわち、ＬＴＥ  Ｒｅｌ−８をサポートする端末と同様に振る舞う。しかし、ネットワークへの接続が成功すると、Ｒｅｌ−１０端末は−それ自身の能力とネットワークに依存して−ＵＬ及びＤＬにおける追加のサービングセルを用いて設定されうる。設定は、無線リソース制御（ＲＲＣ）に基づく。重いシグナリング及びＲＲＣシグナリングの多少遅い速度に起因して、端末が、複数のサービングセルの全てを現在使用していなくとも、その複数のサービングセルで設定されうることが想定される。
【００１６】
（３．３  ＳＣｅｌｌの起動及び停止）
ＳＣｅｌｌ、すなわち、上述のようにキャリアアグリゲーションにおいて１つより多くのサービングセルを有するＵＥの概念を用いて、追加の帯域幅リソースを、動的に設定／設定解除することができよう。ここで、「／」の使用は、本開示全体を通じて「および／または」を意味するために使用されることが理解されるべきである。セルの設定／設定解除は、ｅＮＢによってシグナリングされ、重いシグナリングでありかつ遅いＲＲＣシグナリングを用いて実行される。ＲＲＣシグナリングが重く遅いため、起動／停止の概念がＳＣｅｌｌのために導入された。ｅＮＢは、ｅＮＢがその時にそのＵＥが使用すべきでないと決定したＵＥのサービングセルを停止する可能性を有する。起動／停止はより高速なＭＡＣシグナリングを用いて行われる。起動／停止手順については、非特許文献１の５．１３節に詳細に記述されている。各ＳＣｅｌｌは、このＵＥに設定されている全てのサービングセル間でユニークな、識別子又はいわゆるセルインデックスであるＳＣｅｌｌインデックスを用いて設定される。ＰＣｅｌｌは、常に、セルインデックス０を有し、ＳＣｅｌｌは、１から７の整数のセルインデックスを有することができる。
【００１７】
Ｒｅｌ−１０の起動／停止ＭＡＣ制御エレメント（ＣＥ）は、非特許文献の６．１．３．８節に定義されている。起動／停止ＭＡＣ  ＣＥは、７個のＣフィールドと１つのＲフィールドとを含む単一オクテットからなる。各Ｃフィールドは、特定のＳＣｅｌｌインデックスに対応し、特定のＳＣｅｌｌが起動されているか停止されているかを示す。ＵＥは、設定されていないセルインデックスに関連付けられた全てのＣフィールドを無視するだろう。起動／停止ＭＡＣ  ＣＥは、常に、全ての設定されたＳＣｅｌｌの起動状態を示し、ｅＮＢが１つのＳＣｅｌｌを起動することを望む場合、それらの状態が変わっていない場合でさえそれらに起動または停止を設定する、全ての設定されたＳＣｅｌｌを含まなければならないことを意味する。
【００１８】
ＵＥは、一般に、全サービングセルの制御チャネル（ＰＤＣＣＨ）及びデータチャネル（ＰＤＳＣＨ）を観測することが要求される。キャリアアグリゲーションでは、ＵＥは、少なくとも１つのＳＣｅｌｌを用いて設定される。そのＵＥの設定されたＳＣｅｌｌは、サービングネットワークノードによって起動され、停止されうる。したがって、ＵＥのＳＣｅｌｌが起動される場合、そのＵＥは、そのサービングセルのＰＤＣＣＨ及びＰＤＳＣＨを観測しなければならないことになるだろう。これは、より広い受信器帯域幅、より高いサンプリングレートなどを意味し、そのサービングセルが停止された場合と比して高い電力消費をもたらす。
【００１９】
（３．４  ｅＮｏｄｅＢにおいて受信される信号のタイミング調整）
ＵＬにおいて直交性を保つために、複数のＵＥからのＵＬ伝送は、ｅＮＢにおいて揃えられた時刻で受信される必要がある。これは、同一のｅＮＢの制御下にあるＵＥの送信タイミングが、それらの受信信号がｅＮＢ受信器において同時に到来すること−より具体的にはサイクリックプリフィックス（ＣＰ）の範囲内でよい−を確実にするために調整されるべきことを意味する。これは、ｅＮＢ受信器が、複数のＵＥからの信号を受信して処理するために同一のリソース（すなわち、同一のＤＦＴ又はＦＦＴリソース）を使用することができることを確実にする。
【００２０】
ＵＥがｅＮＢから異なる距離に位置し得る（図５参照）ため、そのＵＥは、異なるタイミングでそのＵＬ伝送を開始することが必要となるだろう。ｅＮＢから遠いＵＥは、一般に、ｅＮＢに近いＵＥより早く送信を開始する必要がある。これは、例えば、ＵＬのタイムアドバンスにより、すなわち、ＵＥがそのＵＬ伝送をタイミングリファレンス分だけ通常のタイミングの前に開始することにより、対処することができる。この概念を、図６に図解する。換言すれば、ＵＥは、そのＵＬの伝送を、タイミングアドバンス値によって与えられる、与えられた通常の時刻のタイミングリファレンス分だけ又はタイミングリファレンス値分だけ前の時刻において、開始し得る。
【００２１】
ＵＬタイミングアドバンスは、そのＵＥ、すなわち同一のＵＥからのＵＬ伝送の測定値に基づいて、ＵＥへ送信されるタイミングアドバンスコマンドを通じて、ｅＮＢによって保守される。タイミングアドバンスコマンドを通じて、ＵＥは、そのＵＬ伝送を現在のＵＬ送信タイミングより早く又は遅く開始するように指示される。すなわち、タイミングアドバンス（ＴＡ）値は、それぞれ増加され、又は減少されうる。
【００２２】
ＤＬ伝送と対応するＵＬ伝送との間には、非常に強い関連がある。これの例は、ＰＤＳＣＨにおけるＤＬ−ＳＣＨ伝送とＵＬで（ＰＵＣＣＨ又はＰＵＳＣＨのいずれかにおいて）送信されるＨＡＲＱのＡＣＫ／ＮＡＣＫフィードバックとの間のタイミング、及びＰＤＣＣＨにおけるＵＬグラント伝送とＰＵＳＣＨにおけるＵＬ−ＳＣＨ伝送との間のタイミングを含む。
【００２３】
あるＵＥに対するタイミングアドバンス値を増加させることにより、そのＵＥのＤＬ伝送と対応するＵＬ伝送との間の処理時間が減少する。このため、最大のタイミングアドバンスの上限が、ＵＥが利用可能な処理時間の下限を設定するために、３ＧＰＰによって定められている。ＬＴＥに対しては、この値は、約１００ｋｍのセル範囲に対応する約６６７μｓに設定されている（なお、ＴＡ値はラウンドトリップ遅延を補償する）。
【００２４】
ＬＴＥ  Ｒｅｌ−１０では、ＵＥごとに単一のタイミングアドバンス（ＴＡ）値が存在し、全てのＵＬセルが同一の送信タイミングを有することが仮定されている。ＴＡのためのタイミングの参照時点は、プライマリＤＬセルの受信タイミングである。
【００２５】
ＬＴＥ  Ｒｅｌ−１１では、複数のＴＡ値に対するサポートが導入されており、１つのＵＥは、異なるセルに対して異なるＴＡを有し得る。複数のＴＡ値の導入の１つの理由は、ＵＥが複数のＵＬ受信時点でのＵＬ伝送をサポートすべきことである。一般的に、ＵＥは異なる物理ノードに対して異なるラウンドトリップ遅延を有するため、ＵＥは、一般的に、これらの異なる物理ノードに対する異なるＴＡ値を必要とするだろう。また、ＵＥは、異なるバンドにおけるセルへのＵＬ伝送のために異なるＴＡ値を必要とするかもしれない。同一の物理ノード行き又は同じ位置の物理ノード（例えばコロケーテッドｅＮｏｄｅＢ）行きのＵＥのＵＬサービングセルは、そのＵＥに対して同一の又は同様のＴＡ値を有する。したがって、複数のＴＡグループ（ＴＡＧ）を構成する可能性が３ＧＰＰ標準において規定されており、ＵＥが２つ以上のＵＬサービングセルを有する場合に使用されうる。あるＴＡグループ（ＴＡＧ）内にセルをグループ化する基準は、ネットワークの実装に依存する。例えば、通常、同一の又は同じ位置のノード行きのＵＥのＵＬサービングセルは、ネットワークによって、同一のＴＡＧにグループ化される。このように、ＴＡグルーピングは、例えば、同一の物理ノード行きのＵＬサービングセルが同一のＴＡグループにグループ化されるだろう配置に依存して行うことができる。換言すれば、３ＧＰＰにおける現在の仮定は、ｅＮＢが同一のＴＡ値を使用するのに適すると考えるＵＥのサービングセルが、いわゆるＴＡグループに共にグループ化されるだろうことである。ＴＡグルーピングは、ＲＲＣシグナリングによって、ネットワーク（ＮＷ）がシグナリングするだろう。又は、別の言い方をすれば、理解されるように、ＴＡグルーピングに関する情報は、ＲＲＣシグナリングを介して、ＮＷによってＵＥへシグナリングされる。
【００２６】
同一のＴＡグループ内のサービングセルは、ＴＡ値を共有するだろう。また、そのＴＡグループ内の１つのサービングセルのＤＬは、タイミングリファレンスとして使用されるだろう。したがって、そのＴＡグループ内の１つのサービングセルのＤＬは、ＵＥが同一のＴＡＧに属するＵＥのセルの全てのＵＬ伝送タイミングを導出するためのタイミングリファレンスとして使用されるだろう。各ＴＡ値に対して、ＴＡタイマと呼ばれる関連するタイマがある。ＵＥは、関連付けられたＴＡタイマが起動している場合に、同一のＴＡグループ内のＵＬサービングセルの全ての時間が揃えられることを仮定する。そのＴＡＧ内のサービングセルの時間が揃えられていると考えられる場合に、ＵＥは、１つ以上のサービングセルにおいて、ＰＵＣＣＨ、ＰＵＳＣＨ及びＳＲＳ伝送を実行することが許可される。ＴＡタイマは、その関連付けられたＴＡグループに宛てられたＴＡコマンドの受信に応じて、開始され又は再開される。ＴＡコマンドについては、本開示の３．６節でさらに議論する。
【００２７】
（３．５  ランダムアクセス）
ＬＴＥでは、任意の通信システムのように、移動端末（例えばＵＥ）は、上りリンクにおいて（すなわち、ＵＥから基地局へ）個別リソースを有することなく、（ｅＮｏｄｅＢを介して）ネットワークにコンタクトする必要がありうる。これを処理するために、（個別ＵＬリソースを有しない）ＵＥが基地局へ信号を送信し得る、ランダムアクセス手順を利用可能である。この手順の第１のメッセージ（ＭＳＧ１又はプリアンブル）は、通常、ランダムアクセスのために予約された特定のリソース、物理ランダムアクセスチャネル（ＰＲＡＣＨ）で送信される。このチャネルは、例えば、（ＬＴＥにおいてそうであるように）時間と周波数との少なくともいずれかで限定されうる。図７を参照されたい。ＰＲＡＣＨ伝送に利用可能なリソースは、ブロードキャストされるシステム情報の一部として（又は、例えばハンドオーバの場合に個別ＲＲＣシグナリングの一部として）、端末に提供される。
【００２８】
ＬＴＥでは、いくつかの異なる理由のために、ランダムアクセス手順を使用することができる。とりわけ、これらの理由は、
・（ＬＴＥ＿ＩＤＬＥ又はＬＴＥ＿ＤＥＴＡＣＨＥＤステータスにあるＵＥのための）初期アクセス、
・入ってくるハンドオーバ（incoming handover）、
・ＵＬの再同期、
・（基地局にコンタクトするためのリソースが割り当てられていないＵＥのための）スケジューリング要求、
・測位、
である。
【００２９】
ＬＴＥで用いられる競合ベースのランダムアクセス手順を図８に図解する。ＵＥは、競合ベースのランダムアクセスに利用可能なプリアンブルの１つをランダムに選択することにより、ランダムアクセス手順を開始する。その後、ＵＥは、ＲＡＮにおいて、物理ランダムアクセスチャネル（ＰＲＡＣＨ）で、ｅＮＢへ選択したランダムアクセスプリアンブルを送信する。
【００３０】
ＲＡＮは、ＲＡＮが検出した任意のプリアンブルに、上りリンク共有チャネルにおいて使用されることの初期グラント、一次Ｃ−ＲＮＴＩ、及びＰＲＡＣＨにおいてｅＮｏｄｅＢが測定したプリアンブルのタイミングオフセットに基づくタイミング調整（ＴＡ）アップデートを含むランダムアクセスレスポンス（ＭＳＧ２）を送信することによって、応答する。ＭＳＧ２は、ＤＬでＵＥへ送信され、その対応するＰＤＣＣＨメッセージＣＲＣは、ＲＡ−ＲＮＴＩを用いてスクランブリングされる。
【００３１】
ＵＥは、ランダムアクセスレスポンス（ＭＳＧ２）を受信すると、無線リソース制御の確立をトリガするのに部分的に使用されると共にセルの共通チャネルにおいてＵＥを一意に特定するのに部分的に使用されるメッセージ（ＭＳＧ３）を送信するのに、そのグラントを使用する。ランダムアクセスレスポンスで与えられたタイミングアドバンスコマンドは、ＭＳＧ３におけるＵＬ伝送に適用される。ｅＮＢは、そのＣＲＣがＴＣ−ＲＮＴＩでスクランブリングされるＵＬグラントを送信することにより、ＭＳＧ３伝送に割り当てられるリソースブロックを変更することができる。
【００３２】
競合解決にその後使用されるＭＳＧ４は、ＵＥが事前に割り当てられたＣ−ＲＮＴＩを有する場合にＣ−ＲＮＴＩでスクランブリングされたそのＰＤＣＣＨ  ＣＲＣを有する。ＵＥが事前に割り当てられたＣ−ＲＮＴＩを有しない場合、そのＰＤＣＣＨ  ＣＲＣは、ＴＣ−ＲＮＴＩでスクランブリングされる。すなわち、ＵＥにＣ−ＲＮＴＩが事前に割り当てられていない場合、ＭＳＧ４に含まれるＰＤＣＣＨのＣＲＣは、ＴＣ−ＲＮＴＩでスクランブリングされる。
【００３３】
手順は、ＲＡＮが、複数のＵＥが同一のプリアンブルを同時に送信した場合に発生し得る全てのプリアンブルの競合を解決して終了する。これは、各ＵＥが送信する時とどのプリアンブルを使用するかをランダムに選択するために生じうる。複数のＵＥがＲＡＣＨの送信のために同一のプリアンブルを選択すると、これらのＵＥの間で、競合解消メッセージ（ＭＳＧ４）を通じて解消される必要がある競合が存在するだろう。２つのＵＥが同じプリアンブルｐ5を同時に送信して、競合が生じる場合を図９に図解する。第３のＵＥもまた、同じＲＡＣＨにおいて送信するが、第３のＵＥは異なるプリアンブルｐ1を用いて送信しているため、このＵＥと他の２つのＵＥとの間では競合はない。
【００３４】
ＵＥは、また、非競合ベースのランダムアクセスを実行することもできる。非競合ベースのランダムアクセス又はコンテンションフリーのランダムアクセスは、例えば、ＵＥにＵＬでの同期を達成させるために、ｅＮＢが開始することができる。ｅＮＢは、ＰＤＣＣＨオーダを送信すること又はそれをＲＲＣメッセージにおいて示すことにより、非競合ベースのランダムアクセスを開始する。２つのうち後者は、ハンドオーバ（ＨＯ）の場合に使用されている。
【００３５】
ｅＮＢは、また、ＰＤＣＣＨメッセージを通じて、このための手順が図９に図解されている、競合ベースのランダムアクセスを実行するようにＵＥに指示することもできる。ＵＥがコンテンションフリーのランダムアクセスを実行するための手順を図１０に図解する。コンテンションベースのランダムアクセスと同様に、ＭＳＧ２が、ＤＬにおいてＵＥへ送信され、その対応するＰＤＣＣＨメッセージＣＲＣがＲＡ−ＲＮＴＩでスクランブリングされる。ＵＥは、ＭＳＧ２の受信が成功した後に、競合解消が成功したと判断する。
【００３６】
コンテンションフリーのランダムアクセスのために、競合ベースのランダムアクセスのように、ＭＳＧ２は、タイミング調整値を含む。これは、ｅＮＢが、ＵＥが送信したプリアンブルに応じて、初期の／更新されたタイミングを設定することを可能とする。
【００３７】
ＬＴＥ  Ｒｅｌ−１０では、ランダムアクセス手順は、プライマリセルのみに限定される。これは、ＵＥがプライマリセルでのみプリアンブルを送信できることを意味する。さらに、ＭＳＧ２及びＭＳＧ３は、プライマリセルでのみ、受信され、送信される。その一方で、Ｒｅｌ−１０では、ＭＳＧ４は任意のＤＬセルで送信されうる。
【００３８】
ＬＴＥ  Ｒｅｌ−１１では、ランダムアクセス手順は、少なくともＲｅｌ−１１キャリアアグリゲーション（ＣＡ）をサポートしているＵＥに対しては、セカンダリセルでもサポートされるだろうことを現在のところ想定している（ＲＡＮ２＃７５、２０１１年８月）。今までのところ、ＳＣｅｌｌでネットワークが起動したランダムアクセスのみが想定されている。
【００３９】
（３．６  初期ＴＡＣ及び続くＴＡＣ）
ＴＡ値は、ＵＥが基準に対してＵＬ送信タイミングをオフセットするのに用いられる。３ＧＰＰでは、サービングセルのＤＬ受信タイミングがタイミングリファレンスとして使用され、ＵＬ送信タイミングが、それ、いわゆるタイミングリファレンスセルのＤＬ受信タイミングに対してオフセットされることが現在想定されている。プリアンブル伝送において、ＵＥはＴＡ値ゼロを使用し、したがって、プリアンブルはタイミングリファレンスセルのＤＬ受信のタイミングで送信される。ｅＮＢは、そのプリアンブルを受信すると、プリアンブルが送信されたセルでの所望のＵＬ受信タイミングと、実際のプリアンブルのＵＬタイミングとの時間のずれを測定する。この測定されたずれに基づいて、ｅＮＢは、ランダムアクセスレスポンスメッセージ（ＭＳＧ２）でＵＥに送信される、初期のＴＡコマンド（ＴＡＣ）を生成する。ＵＥは、このＴＡコマンドを受信すると、その示されたＴＡ値を、プリアンブル伝送を行ったセルのＴＡグループに適用するだろう。ＴＡ値は、そのＴＡグループに属するセルにおける続くＵＬ伝送において、どの程度ＵＬ伝送を早めるかをＵＥに知らせる。
【００４０】
ＵＥは移動でき、ＵＬ受信店までのラウンドトリップタイムが変化する場合があるため、ＴＡ値が、的確でなくなるかもしれない。したがって、ｅＮＢは、あるセルにおいてＵＥからＵＬ伝送を受信すると、そのセルにおけるＵＥからのＵＬ信号の時間のずれを測定する。あるセルにおけるＵＥからのＵＬ信号の測定された時間のずれが大きすぎるとｅＮＢによって判定されると、そのｅＮＢは、そのＵＥによって使用されるＴＡ値に対するデルタ更新を含むＴＡコマンドメッセージを生成することができる。ＵＥは、そのようなＴＡコマンドを受信すると、そのデルタ更新に応じてＴＡ値を増減する。
【００４１】
初期のＴＡコマンドは、１１ビット長の値であり、ランダムアクセスレスポンスメッセージで送信される。初期のＴＡコマンドは、ＵＥに、どの程度、扱われるＴＡ値を進めるべきかを知らせる。扱われるＴＡ値は、プリアンブルが送信された又は換言すれば置かれたセルのＴＡグループに関連付けられたＴＡ値である。ＵＥがＴＡグループｘに属するセルでランダムアクセスを行う場合、ＴＡグループｘに関連付けられたＴＡ値が扱われるＴＡ値である。続くＴＡコマンドは、６ビット長の値であり、それ自身がまたＴＡグループ識別子を含むＴＡコマンドを除いてＴＡコマンドＭＡＣ制御エレメント（ＣＥ）において送信され、その識別されるＴＡグループに関連付けられたＴＡ値が扱われるＴＡ値である。ＴＡコマンドは、ＵＥに、どの程度ＴＡ値を進めるべきかを知らせる。
【００４２】
最近、３ＧＰＰにおいて、ＰＣｅｌｌと同じＴＡグループのサービングセルに対して、ＰＣｅｌｌのＤＬ受信タイミングをタイミングリファレンスとすべきことが合意された。したがって、（ＰＣｅｌｌ  ＴＡＧ（ｐＴＡＧ）としても知られる）ＰＣｅｌｌを含むＴＡＧでは、ＵＥは、ＰＣｅｌｌを、ｐＴＡＧ内の全てのサービングセルに対してＵＥの送信タイミングを導出するための参照セルとして使用する。ＵＥが（ＳＣｅｌｌ  ＴＡＧ（ｓＴＡＧ）としても知られる）ＳＣｅｌｌのみを含むＴＡＧで設定される場合、ＵＥは、ｓＴＡＧ内の全てのＳＣｅｌｌに対してＵＥの送信タイミングを導出するために、ｓＴＡＧから任意の起動されたＳＣｅｌｌを使用しうる。ＰＣｅｌｌを含まないＴＡグループ内のサービングセルに対しては、ＵＥが選択したサービングセルのＤＬ受信タイミングが、タイミングリファレンスとして使用されるべきである。
【００４３】
ＵＥは、初期又はその後のＴＡコマンドを受信すると、そのＴＡコマンドを適用し、関連付けられたＴＡタイマを開始する。ＵＥは、その関連付けられたＴＡタイマが起動している限りは、ＴＡグループに属するサービングセルを、ＵＬ同期中すなわち、ＵＬタイミングが揃えられていると判断する。ＵＥがセルをＵＬ時間が揃えられていると判断する場合、通常のＵＬ伝送が許可され、一方で、セルのＵＬ時間が揃えられていると判断されていない場合は、ＰＲＡＣＨ伝送のみが許可される。
【００４４】
（３．７  自動上りリンクタイミング調整）
ＴＡに基づくＵＬ送信タイミングの調整に加えて、既存のソリューションでは、ｅＮＢ送信タイミングにおけるドリフトに応じた、所定のＵＥにおけるそのＵＬタイミングの自動調整の要求もある。より具体的には、ＵＥは、サービングセルのフレーム送信タイミングにおける変化に追随し、対応して各伝送のためのその送信タイミングを調整することが要求される。ＵＥは、通常、サービングセルの下りリンクタイミングを追跡するためのある種の参照信号、例えば、共通参照信号、同期信号などを使用する。
【００４５】
サービングセルタイミングは、様々な理由に起因して、例えば、無線状態の変動、クロックの不完全性、保守活動、ネットワークによるタイミングを変化させるための意図的な試みなどに起因して、変化し得る。さらに、ＵＥがそのタイミングを所定のレートで変える（増減する）ことも要求されている。これは、ＵＥが高速にタイミングを変化させすぎないことを確実にするためのものである。この要求は、ＵＥがそのタイミングを数μｓオーダ（例えば３〜４μｓ）でサブフレームからサブフレームへと変えると、基地局受信器がその受信信号を取り扱うことができなくなりうるということに由来する。これは、ＵＥによって送信された信号の復調の劣化につながり、例えば、上りリンクスループットの損失へとつながるだろう。
【００４６】
（ＬＴＥでは）この自動ＵＬタイミング調整は、各ＴＡ値（ＮTA）が参照ＴＡ値（ＮTA_Ref）を有することにより実現されている。（ＬＴＥでは）ＵＥは、ＴＡＧ内に１つより多くのサービングセルがある場合、サービングセルの又はタイミングリファレンスセルのフレームタイミングの変化に追従することが要求されている。これも、ＵＥによって所定のルール及び要求に基づいて自動で実行されるため、自動ＵＬタイミング調整とも呼ばれる。上りリンクフレーム伝送は、リファレンスセルからの対応する下りリンクフレームの（時間において）最初に検出されたパスの受信の（ＮTA＋ＮTA_Offset）×Ｔs前に起こる。ここで、Ｔsは、Ｔs＝１／（１５０００×２０４８）秒で定められる基本時間単位である。ＮTAは、現在使用されているＴＡ値である。ＮTA_Refは、ネットワークによってシグナリングされた、ＵＬ伝送の参照タイミングを決定するのに使用されるＴＡ値である。この参照タイミングは、下りリンク受信タイミングの（ＮTA_Ref＋ＮTA_offset）前である。ＮTA_offsetは固定値である。複数のＴＡＧが使用される場合、ＵＥは、各ＴＡグループ内のセルのＵＬ伝送のためのそのＵＬタイミング調整を自動調整することが要求される。したがって、あるＴＡＧ内の各ＴＡは、参照ＴＡ値（ＮTA_Ref）に関連付けられる。自動上りリンクタイミング調整の目的は、参照タイミングと実際の上りリンクのタイミングを所定の閾値未満に減らすことである。下りリンク受信タイミングが時間ｔによって変化する場合、参照タイミングは、同じ方向に時間ｔだけ変更され、参照タイミングと実際のＵＬタイミングとの間の差の増加を引き起こし得る。これは、例えば、図１１及び図１２に図解される。図１１に示される時刻ｔ１において、参照タイミングと実際のＵＬタイミングとの小さい差が存在し、すなわち、Ｔeは小さい。図１２は、時刻ｔ３において起こり得る後の状態を図解しており、ここでは、ＤＬタイミングが遅延し、これは例えばＤＬ送信タイミングが遅延したことに起因して起こり得る。Ｔeが閾値より大きい場合、ＵＥは、ＵＬ送信タイミングを調整することを要求される。これは、ＮTAを調整することにより行われ、図１６に図解されている。
【００４７】
ＵＥは、ＴＡＣ  ＭＡＣ  ＣＥが受信されるごとに、受信したＴＡＣにおける値に従って、現在使用されているＵＬ送信タイミングを更新、すなわち進め又は遅らせ、参照タイミングは、その更新されたＵＬ送信タイミングに変更される。又は、換言すれば、ＵＥがＴＡＣ  ＭＡＣ  ＣＥの値を扱うセルとＴＡＧとの少なくともいずれかに適用していると、常に、ＵＥは、そのセルとＴＡＧとの少なくともいずれかのＵＬ送信タイミングを更新し、ＮTAを、ＤＬタイミングから、ＮTA_Ref＋ＮTA_offset＝ＮTAとなるように、新しい、更新された、実際のＵＬタイミング及びＮTA_Refを減じたものに更新する。
【先行技術文献】
【非特許文献】
【００４８】
【非特許文献１】３ＧＰＰ  ＴＳ  ３６．３２１、Ｖ１０．５．０（２０１２年３月）、第３世代パートナーシッププロジェクト；技術規格グループ無線アクセスネットワーク；発展型ユニバーサル地上無線アクセス（Ｅ−ＵＴＲＡ）；媒体アクセス制御（ＭＡＣ）プロトコル規格（リリース１０）
【発明の概要】
【発明が解決しようとする課題】
【００４９】
（４．０  既存の技術に伴う課題、又は不利点）
現在のＬＴＥ規格を用いると、ＵＥは、ＵＬ伝送を実行するときに、自動ＵＬ送信タイミング調整のみを実行する。ＤＬタイミングがドリフトしている期間にＵＥがＵＬ伝送をしていない場合、Ｔe（送信タイミング誤差）が、自動ＵＬ送信タイミング調整のトリガのための閾値より大きく増大するリスクがある。ＵＥは、ＵＬ伝送を実行する際に、ＵＬ送信タイミングを調整する。活動していないこと又はＵＬグラントがないことに起因して、ＵＥは、毎サブフレーム又は送信器かいに送信することができない。したがって、次のＵＬ送信タイミング調整が、次のＵＬ送信においてＵＥによって実行されることとなる。
【００５０】
あるＴＡグループのＴＡタイマが満了した場合、ＵＥは、ＵＬ伝送を禁止されており、したがって、そのＴＡグループのためのＵＬ送信タイミング調整を行わないだろう。すなわち、あるＴＡグループのＴＡタイマが満了した場合、ＵＥは、一般的にそのＴＡＧ内のセルにおいてＵＬ伝送を行うことを禁止され、したがって、問題になっているＴＡグループのためのいかなるＵＬ送信タイミングをも実行しないだろう。
【００５１】
ｅＮＢがＵＥのサービングセルでのＵＬ伝送を管理するために使用できる１つの可能性のある手順は、そのサービングセルに関連付けられたＴＡタイマを利用することによるものである。ｅＮＢは、ＵＥのサービングセルにおけるＵＬ伝送を停止したい場合、そのサービングセルのＴＡグループを扱うＴＡＣ  ＭＡＣ  ＣＥの送信を停止することができ、そのＴＡタイマ（タイマが有限値を有する場合）は満了して、それにより、ＵＥは、そのＴＡグループ内のサービングセルにおけるＵＬ伝送の実行が許可されなくなる。後で、そのＵＥが満了したＴＡタイマを有するＴＡグループに属するサービングセルでのＵＬ伝送を回復することをｅＮＢが望む場合、ｅＮＢは、そのサービングセルのＴＡグループへの、関連付けられたＴＡ値を更新し、関連付けられたＴＡタイマを開始する、ＴＡＣ  ＭＡＣ  ＣＥを送信できるだろう。このようなシナリオでは、ｅＮＢは、関連付けられたＴＡタイマが満了していたとしてもＵＥが保持しているＴＡ値がいまだに有効であるように、どうにかして、ＵＥが移動していない又はゆっくり移動していると解釈することが起こり得る。ＴＡタイマが起動しておらず、したがってＵＥがＵＬ伝送を実行すること、ひいてはＤＬ受信タイミングにおけるドリフトを補償するために自動ＵＬ送信タイミング調整の実行が許可されてない期間にＤＬ送信タイミングがドリフトする場合、問題が起こる。実際のＵＬタイミングは、このようなシナリオでは、不完全であり、ＵＥがＴＡＣ  ＭＡＣ  ＣＥを受信する場合、そのＵＥは、この、不完全な、実際のＵＬタイミングを、ＴＡＣ  ＭＡＣ  ＣＥに従って更新し、関連付けられたＴＡタイマを再開して、それにより、そのサービングセルにおけるＵＬ伝送が不完全なＴＡ値を用いられて回復され、これは、ＵＬ送信タイミングにおいて、例えば、２〜４μｓなど数μｓのオーダでの大きな誤差がある場合に、基地局受信器において大きな性能劣化を引き起こし得る。その問題は、例えば、伝搬状態に突然の変化、クロックの不完全性によるドリフト、基地局において保守作業がある場合などに、顕著である。このように、集約された時間のずれは、すぐに大きくなりうる。したがって、言及したシナリオにおいてＵＥが不完全なＵＬ送信タイミングを使用しないことを確実にするための機構を定める必要がある。
【課題を解決するための手段】
【００５２】
その態様の１つにおいて、ここで開示される技術は、電気通信ネットワークの無線端末に関連する。例示の実施形態では、無線端末は、通信インタフェースとＵＬ送信タイミング更新部とを有する。通信インタフェースは、無線インタフェースを介して、基地局ノードからタイミングアドバンスコマンド（ＴＡＣ）制御エレメント（ＣＥ）を受信するように構成される。（コントローラ又はＵＬ送信タイミング更新手段としても知られる）ＵＬ送信タイミング更新部は、タイミングアドバンスコマンド（ＴＡＣ）制御エレメント（ＣＥ）の受信に応じて、関連付けられたタイミングアドバンス（ＴＡ）グループについてのＴＡタイマが起動されていない場合であっても、当該ＴＡグループ内のセルに対するＵＬ送信タイミングを更新するように構成される。いくつかの例示の実施形態では、ＵＬ送信タイミング更新部は、特定のオフセット量でオフセットされたそのＴＡグループのＤＬ受信タイミングとなるように、タイミングアドバンス（ＴＡ）グループ内のセルに対するＵＬ送信タイミングを更新するように構成される。
【００５３】
例示の実施形態及びモードにおいて、ＵＬ送信タイミング更新部は、タイミングアドバンスコマンド（ＴＡＣ）制御エレメント（ＣＥ）の受信に応じて、タイミングアドバンス（ＴＡ）グループ内のセルに対するＵＬ送信タイミングを、タイミングアドバンス参照値（ＮTA_Ref）及びタイミングアドバンスオフセット値（ＮTA_offset）の和によってオフセットされたそのＴＡグループのＤＬ受信タイミングとなるように、更新するように構成され、例えば、オフセット量は（ＮTA_Ref＋ＮTA_offset）である。
【００５４】
別の例示の実施形態及びモードにおいて、ＵＬ送信タイミング更新部は、タイミングアドバンスコマンド（ＴＡＣ）制御エレメント（ＣＥ）の受信に応じて、タイミングアドバンス（ＴＡ）グループ内のセルに対するＵＬ送信タイミングを、現在使用されているタイミングアドバンス値（ＮTA）によってオフセットされたそのＴＡグループのＤＬ受信タイミングとなるように、更新するように構成され、例えば、オフセット量は（ＮTA）である。
【００５５】
さらに別の例示の実施形態及びモードでは、ＵＬ送信タイミング更新部は、タイミングアドバンス（ＴＡ）グループ内のセルに対するＵＬ送信タイミングを、関係するサービングセルでＵＬ伝送がない場合であっても、ＴＡタイマが起動されていない場合に各ＴＡグループ内のＤＬのセルの送信タイミングに従うように、自動ＵＬタイミング調整を実行することにより、更新するように構成される。例示の実装において、ＵＬ送信タイミング更新部は、さらに、上りリンクにおいて送信しない場合であっても、ある範囲において、その送信器を起動したままにしておくことにより、ＵＬ伝送がある場合及びＵＬ伝送がない場合に、そのＵＬタイミングを調整するように構成される。
【００５６】
さらに別の例示の実施形態及びモードでは、無線端末は、その無線端末が、関連付けられたタイミングアドバンス（ＴＡ）グループのためのＴＡタイマが起動していない場合であってもそのＴＡグループ内のセルに対するＵＬ送信タイミングを更新することができることを、ネットワークノードに報告するための手段を有する。
【００５７】
さらに別の例示の実施形態及びモードでは、無線端末は、さらに、関連付けられたタイミングアドバンス（ＴＡ）グループのためのＴＡタイマが起動していない場合であってもそのＴＡグループ内のセルに対するＵＬ送信タイミングを更新するための複数の異なる更新モードの間での、選択を行うように構成される。
【００５８】
別の例示の態様では、ここで開示される技術は、無線端末がタイミングアドバンス（ＴＡ）グループ内のセルに対するＵＬ送信タイミングを更新するのに使用するための複数の異なる更新モードの間での選択を行うための手段を有するネットワークノードに関し、その異なるモードは、関連付けられたタイミングアドバンス（ＴＡ）グループのためのＴＡタイマが起動していない場合であってもＴＡグループ内のセルに対するＵＬ送信タイミングを更新する個別の異なる方法を含む。
【００５９】
本技術のさらに別の態様では、無線端末であって、無線インタフェースを介して、ネットワークノードからタイミングアドバンスコマンド制御エレメントを受信するように構成される通信インタフェースと、前記タイミングアドバンスコマンド制御エレメントの受信に応じて、関連付けられたタイミングアドバンス（ＴＡ）グループについてのＴＡタイマが起動されていない場合であっても、当該ＴＡグループ内のセルに対する上りリンク（ＵＬ）送信タイミングを更新するように構成されるＵＬ送信タイミング更新部と、を有することを特徴とする無線端末が提供される。ＵＬ送信タイミング更新部は、例えば、コントローラでありうる。
【００６０】
前記ＵＬ送信タイミング更新部は、前記ＴＡグループ内の前記セルに対する前記ＵＬ送信タイミングを、オフセット量によりオフセットされたそのＴＡグループの下りリンク（ＤＬ）受信タイミングとなるように更新するように構成されうる。
【００６１】
前記ＵＬ送信タイミング更新部は、前記ＴＡグループ内の前記セルに対する前記ＵＬ送信タイミングを、タイミングアドバンス参照値（ＮTA_Ref）及びタイミングアドバンスオフセット値（ＮTA_offset）の和によってオフセットされたそのＴＡグループのＤＬ受信タイミングとなるように更新するように構成されうる。
【００６２】
前記ＵＬ送信タイミング更新部は、ＴＡグループ内のセルに対するＵＬ送信タイミングを、現在使用されているタイミングアドバンス値（ＮTA）によってオフセットされたそのＴＡグループのＤＬ受信タイミングとなるように更新するように構成されうる。
【００６３】
１つの例示の実施形態では、ＵＬ送信タイミング更新部は、関係する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新するように構成されうる。
【００６４】
１つの例示の実施形態では、ＵＬ送信タイミング更新部は、同一の前記ＴＡグループに属する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新するように構成されうる。
【００６５】
ＵＬ送信タイミング更新部は、さらに、前記上りリンクにおいて送信しない場合であってもその送信器を起動したままにしておくことにより、ＵＬ伝送がある場合、及び、ＵＬ伝送がない場合に、そのＵＬタイミングを調整するように構成されうる。
【００６６】
ＵＬ送信タイミング更新部は、さらに、前記上りリンクにおいて送信しない場合であってもその送信器を起動したままにしておくことにより、ＵＬ伝送があると否とによらず、そのＵＬタイミングを調整するように構成されうる。
【００６７】
ＵＬ送信タイミング更新部は、さらに、その送信器が前記上りリンクにおいて送信しない場合の当該送信器の動作のために選択されたスルーレートパラメータであって、前記無線端末（３０）がＵＬタイミング調整を実行するレートに関連付けられたパラメータであるスルーレートパラメータに従って、前記上りリンクにおいて送信しない場合であっても前記送信器を起動したままにしておくように構成されうる。
【００６８】
１つの例示の実施形態では、無線端末は、前記無線端末が、関連付けられた前記ＴＡグループのための前記ＴＡタイマが起動していない場合であっても前記ＴＡグループ内のセルに対するＵＬ送信タイミングを更新することができることを、前記ネットワークノードに報告するための手段をさらに有する。前記ネットワークノードに報告するための前記手段は、能力通知部を含みうる。また、代替的に、前記ネットワークノードに報告するための前記手段は、送信器または送受信器を含んでもよい。
【００６９】
別の例示の実施形態では、通信インタフェースは、前記無線端末が、関連付けられた前記ＴＡグループのための前記ＴＡタイマが起動していない場合であっても前記ＴＡグループ内のセルに対するＵＬ送信タイミングを更新することができることを、前記ネットワークノードに報告するように構成される。
【００７０】
無線端末は、さらに、関連付けられた前記ＴＡグループのための前記ＴＡタイマが起動していない場合であっても前記タイミングアドバンス（ＴＡ）グループ内の前記セルに対する前記ＵＬ送信タイミングを更新するための、複数の異なる更新モードの間での選択を行うように構成されてもよい。無線端末は、さらに、前記ネットワークノードからの受信情報に基づいて若しくは１つ以上の所定のルールに従って、又は前記ネットワークノードからの受信情報に基づくと共に前記１つ以上の所定のルールに従って、前記選択を行うように構成されうる。
【００７１】
上述の前記ＴＡグループ内の前記セルは、前記ＴＡグループ内のサービングセルでありうる。
【００７２】
本技術の別の態様によれば、無線端末を動作させる方法であって、無線インタフェースを介して、ネットワークノードからタイミングアドバンスコマンド制御エレメントを受信することと、前記タイミングアドバンスコマンド制御エレメントの受信に応じて、関連付けられたタイミングアドバンス（ＴＡ）グループについてのＴＡタイマが起動されていない場合であっても、当該ＴＡグループ内のセルに対する上りリンク（ＵＬ）送信タイミングを更新することと、を含むことを特徴とする方法が提供される。
【００７３】
当該方法は、さらに、前記ＴＡグループ内の前記セルに対する前記ＵＬ送信タイミングを、オフセット量によりオフセットされたそのＴＡグループの下りリンク（ＤＬ）受信タイミングとなるように更新することを含みうる。
【００７４】
当該方法は、さらに、前記ＴＡグループ内の前記セルに対する前記ＵＬ送信タイミングを、タイミングアドバンス参照値（ＮTA_Ref）及びタイミングアドバンスオフセット値（ＮTA_offset）の和によってオフセットされたそのＴＡグループの下りリンク（ＤＬ）受信タイミングとなるように更新することを含みうる。当該方法は、前記ＴＡグループ内の前記セルに対する前記ＵＬ送信タイミングを、現在使用されているタイミングアドバンス値（ＮTA）によってオフセットされたそのＴＡグループのＤＬ受信タイミングとなるように更新することを含みうる。
【００７５】
当該方法は、さらに、関係するサービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新することを含みうる。
【００７６】
当該方法は、さらに、同一の前記ＴＡグループに属する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新することを含みうる。
【００７７】
当該方法は、さらに、前記上りリンクにおいて送信しない場合であっても前記無線端末の送信器を起動したままにしておくことにより、ＵＬ伝送がある場合、及び、ＵＬ伝送がない場合に、前記ＵＬタイミングを更新することを含みうる。
【００７８】
１つの実施形態では、当該方法は、前記上りリンクにおいて送信しない場合であってもその送信器を起動したままにしておくことにより、ＵＬ伝送があると否とによらず、前記ＵＬタイミングを調整することをさらに含む。
【００７９】
当該方法は、追加的に、送信器が前記上りリンクにおいて送信しない場合の当該送信器の動作のために選択されたスルーレートパラメータであって、前記無線端末がＵＬタイミング調整を実行するレートに関連付けられたパラメータであるスルーレートパラメータに従って、前記上りリンクにおいて送信しない場合であっても前記送信器を起動したままにしておくことを含みうる。
【００８０】
当該方法は、さらに、前記無線端末が、関連付けられた前記ＴＡグループのための前記ＴＡタイマが起動していない場合であっても前記ＴＡグループ内のセルに対するＵＬ送信タイミングを更新することができることを、前記ネットワークノードに報告することを含みうる。
【００８１】
当該方法は、さらに、関連付けられた前記ＴＡグループのための前記ＴＡタイマが起動していない場合であっても前記ＴＡグループ内の前記セルに対する前記ＵＬ送信タイミングを更新するための、複数の異なる更新モードの間での選択を行うことを含みうる。
【００８２】
当該方法は、さらに、前記ネットワークノードからの受信情報に基づいて若しくは１つ以上の所定のルールに従って、又は前記ネットワークノードからの受信情報に基づくと共に前記１つ以上の所定のルールに従って、前記選択を行うことを含みうる。
【００８３】
本技術のさらに別の態様によれば、ネットワークノードであって、無線インタフェースを介して、無線端末と情報を通信するように構成される通信インタフェースと、前記無線端末がタイミングアドバンス（ＴＡ）グループ内のセルに対する上りリンク（ＵＬ）送信タイミングを更新するのに使用するための複数の異なる更新モードの間での選択を行うための手段を有し、前記異なるモードは、関連付けられた前記ＴＡグループのためのＴＡタイマが起動していない場合であってもＴＡグループ内の前記セルに対する前記ＵＬ送信タイミングを更新する異なる個別の方法を含む、ことを特徴するネットワークノードが提供される。
【００８４】
例示の実施形態では、前記複数の異なる更新モードの間での選択を行うための手段は、ｉ）前記ＴＡグループ内の前記セルに対する前記ＵＬ送信タイミングを、オフセット量によってオフセットされた、そのＴＡグループの下りリンク（ＤＬ）受信タイミングとなるように更新する更新モード、ｉｉ）前記ＴＡグループ内の前記セルに対する前記ＵＬ送信タイミングを、タイミングアドバンス参照値（ＮTA_Ref）とタイミングアドバンスオフセット値（ＮTA_offset）との和によってオフセットされた、そのＴＡグループの下りリンク（ＤＬ）受信タイミングとなるように更新する更新モード、ｉｉｉ）前記ＴＡグループ内の前記セルに対する前記ＵＬ送信タイミングを、現在使用されているタイミングアドバンス値（ＮTA）によってオフセットされた、そのＴＡグループのＤＬ受信タイミングとなるように更新する更新モード、及びｉｖ）関係するサービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新する更新モード、の間で、前記選択を行うように構成される。
【００８５】
選択のための前記手段は、ＵＬ送信タイミング調整後の残存送信タイミング誤差、現在のＵＬ送信誤差、頻繁な若しくは大きい、又は頻繁で大きいＤＬタイミングドリフト、データ又はサービスの重要性、及び無線環境または無線チャネル特性、の１つ以上の基準に基づいて、前記無線端末が使用するための複数の異なる更新モードの間での前記選択を行うように構成されうる。
【００８６】
また、前記ネットワークノードは、関連付けられた前記ＴＡグループのための前記ＴＡタイマが起動していない場合であっても前記無線端末が前記ＴＡグループ内のセルに対するＵＬ送信タイミングを更新することができることの情報を、前記無線端末から受信するための手段を含みうる。
【００８７】
複数の更新モードの間での選択を行うための前記手段は、選択部を含んでもよい。
【００８８】
１つの例示の実施形態では、複数の更新モードの間での選択を行うための前記手段は、媒体アクセス制御（ＭＡＣ）エンティティ又は無線リソース制御（ＲＲＣ）エンティティを含む。
【００８９】
上述の前記ＴＡグループ内の前記セルは、前記ＴＡグループ内のサービングセルでありうる。
【００９０】
本技術のさらに別の態様では、ネットワークノードを動作させる方法であって、無線インタフェースを介して、無線端末と情報を通信することと、前記無線端末がタイミングアドバンス（ＴＡ）グループ内のセルに対する上りリンク（ＵＬ）送信タイミングを更新するのに使用するための複数の異なる更新モードの間での選択を行うことと、を含み、前記異なるモードは、関連付けられた前記ＴＡグループのためのＴＡタイマが起動していない場合であってもＴＡグループ内の前記セルに対する前記ＵＬ送信タイミングを更新する異なる個別の方法を含む、ことを特徴する方法が提供される。
【００９１】
当該方法は、さらに、前記ＴＡグループ内のセルに対する前記ＵＬ送信タイミングを更新するのに使用するための選択された前記モードに関する情報を、前記無線端末へ送信することを含みうる。
【００９２】
例えば、前記無線端末が使用するための更新モードであって、ｉ）前記ＴＡグループ内の前記セルに対する前記ＵＬ送信タイミングを、オフセット量によってオフセットされた、そのＴＡグループの下りリンク（ＤＬ）受信タイミングとなるように更新する更新モード、ｉｉ）前記ＴＡグループ内の前記セルに対する前記ＵＬ送信タイミングを、タイミングアドバンス参照値（ＮTA_Ref）とタイミングアドバンスオフセット値（ＮTA_offset）との和によってオフセットされた、そのＴＡグループの下りリンク（ＤＬ）受信タイミングとなるように更新する更新モード、ｉｉｉ）前記ＴＡグループ内の前記セルに対する前記ＵＬ送信タイミングを、現在使用されているタイミングアドバンス値（ＮTA）によってオフセットされた、そのＴＡグループのＤＬ受信タイミングとなるように更新する更新モード、及びｉｖ）関係するサービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することによって、ＴＡグループ内のセルに対するＵＬ送信タイミングを更新する更新モード、の間で、前記選択が行われうる。
【００９３】
前記無線端末が使用するための複数の異なる更新モードの間での前記選択は、例えば、ＵＬ送信タイミング調整後の残存送信タイミング誤差、現在のＵＬ送信誤差、頻繁な若しくは大きい、又は頻繁で大きいＤＬタイミングドリフト、データ又はサービスの重要性、及び無線環境または無線チャネル特性、の１つ以上の基準に基づきうる。
【００９４】
当該方法は、前記無線端末から、関連付けられた前記ＴＡグループのための前記ＴＡタイマが起動していない場合であっても前記無線端末（３０）が前記ＴＡグループ内のセルに対するＵＬ送信タイミングを更新することができることの情報を受信することをさらに含んでもよい。
【００９５】
上述の前記ＴＡグループ内の前記セルは、前記ＴＡグループ内のサービングセルでありうる。
【００９６】
技術のさらなる態様によれば、無線端末であって、無線インタフェースを介して、ネットワークノードからタイミングアドバンスコマンド制御エレメントを受信するように構成される通信インタフェースと、関連付けられたタイミングアドバンス（ＴＡ）グループのためのＴＡタイマが起動していない場合であっても前記ＴＡグループ内のサービングセルに対する上りリンク（ＵＬ）送信タイミングを更新するように構成されるＵＬ送信タイミング更新手段と、を有し、前記送信タイミング更新手段は、さらに、同一の前記ＴＡグループに属する前記サービングセルにおけるＵＬ伝送がない場合であっても、前記ＴＡタイマが起動していない場合に、各ＴＡグループ内のＤＬのセルの前記送信タイミングに従うように自動ＵＬタイミング調整を実行することにより、前記ＴＡグループ内の前記サービングセルに対するＵＬ送信タイミングを更新するように構成される、ことを特徴とする無線端末が提供される。
【００９７】
例示の実施形態では、当該無線端末は、前記サービングセルのフレームの前記送信タイミングにおける変化に追従して、対応して各伝送のためのその送信タイミングを調整することが要求される。
【００９８】
技術のさらに別の態様によれば、無線端末を動作させる方法であって、無線インタフェースを介して、ネットワークノードからタイミングアドバンスコマンド制御エレメントを受信することと、関連付けられたタイミングアドバンス（ＴＡ）グループのためのＴＡタイマが起動していない場合であっても前記ＴＡグループ内のサービングセルに対する上りリンク（ＵＬ）送信タイミングを更新することと、を含み、前記更新することは、さらに、同一の前記ＴＡグループに属する前記セルにおけるＵＬ伝送がない場合であっても、前記ＴＡタイマが起動していない場合に、各ＴＡグループ内のＤＬのセルの前記送信タイミングに従うように自動ＵＬタイミング調整を実行することにより、前記ＴＡグループ内の前記サービングセルに対するＵＬ送信タイミングを更新すること（Ｓ１４０）を含む、ことを特徴とする方法が提供される。
【００９９】
当該方法は、また、前記サービングセルのフレームの前記送信タイミングにおける変化に追従して、対応して各伝送のための前記送信タイミングを調整することを含んでもよい。
【発明の効果】
【０１００】
ここで開示される技術の前述のそして他の目的、特徴、及び利点は、添付の図面に図解される好ましい実施形態の以下のより詳細な説明から明らかになるだろう。添付の図面では、参照文字は、多様な視点を通じて、同じ部分を参照する。図面は、必ずしも、スケーリングされる必要はなく、代わりに強調がここで開示される技術の原理の説明において置かれている。
【図面の簡単な説明】
【０１０１】
【図１】ＬＴＥ下りリンクの物理リソースの線図。
【図２】ＬＴＥ時間領域構造の線図。
【図３】下りリンクサブフレームの線図。
【図４】キャリアアグリゲーションを説明する線図。
【図５】ｅＮｏｄｅＢから異なる距離にいる２つのＵＥを伴うセルを説明する線図。
【図６】ｅＮｏｄｅＢへの距離に依存するＵＬ伝送のタイミングアドバンスを説明する線図。
【図７】ランダムアクセスプリアンブル伝送を説明する線図。
【図８】ＬＴＥにおける競合ベースのランダムアクセス手順のためのエアインタフェースを介したシグナリングを説明する線図。
【図９】２つのＵＥの間の競合がある場合の、競合ベースのランダムアクセスを説明する線図。
【図１０】ＬＴＥにおけるコンテンションフリーのランダムアクセス手順のためのエアインタフェースを介したシグナリングを説明する線図。
【図１１】ＴＡタイマが起動していない間にＤＬ受信タイミングに起因して直面し得る問題の状況の線図。
【図１２】ＴＡタイマが起動していない間にＤＬ受信タイミングに起因して直面し得る問題の状況の線図。
【図１３】ＴＡタイマが起動していない間にＤＬ受信タイミングに起因して直面し得る問題の状況の線図。
【図１４】ＵＬ伝送がない場合に調整する又はＵＬ送信タイミング調整を実行する第１の例示の実施形態又はモードの線図。
【図１５】ＵＬ伝送がない場合に調整する又はＵＬ送信タイミング調整を実行する第２の例示の実施形態又はモードの線図。
【図１６】ＵＬ伝送がない場合に調整する又はＵＬ送信タイミング調整を実行する第３の例示の実施形態又はモードの線図。
【図１７】ここで開示される技術の例示の実施形態による例示の無線通信ネットワークの概略図。
【図１８】ここで開示される技術の例示の実施形態の例示の実装による例示の無線通信ネットワークの概略及びより詳細な図。
【図１９】ＵＬ伝送がない場合の調整又はＵＬ送信タイミング調整を実行する様々な異なる実施形態又はモードを描く線図。
【図２０】ネットワークノードへの伝送のためのＵＬタイミング調整能力メッセージ／信号を生成し用意する場合の例示の実施形態による例示の無線通信ネットワークの概略図。
【図２１】ネットワークノードが選択される上りリンク（ＵＬ）タイミング調整モードの決定を行い、無線端末への送信のためのＵＬタイミング調整モード選択メッセージ／信号を生成する場合の、例示の実施形態による例示の無線通信ネットワークの概略図。
【図２２】無線端末が選択される上りリンク（ＵＬ）タイミング調整モードの決定を行う場合の、例示の実施形態による例示の無線通信ネットワークの概略図。
【図２３】ＵＬ伝送がない場合に調整する又はＵＬ送信タイミング調整を実行する異なる実施形態及びモードを説明すると共に含む概略図。
【図２４】ここで開示される技術の様々な実施形態による方法を説明するフローチャート。
【図２５】ここで開示される技術の実施形態による方法を説明するフローチャート。
【発明を実施するための形態】
【０１０２】
以下の説明では、説明のためであって限定のためでなく、ここで開示される技術の完全な理解を与えるために、特定の構造、インタフェース、技術などのような、特定の詳細について説明する。しかしながら、ここで開示される技術は、これらの特定の詳細から離れた他の実施形態で実行されうることが当業者には理解されるだろう。すなわち、当業者であれば、ここで明示的に説明され又は示されなくても、ここで開示された技術の原理を体現し、その精神と範囲内に含まれる様々な構成を考えだすだろう。場合によっては、よく知られた装置、回路及び方法の詳細な説明については、不必要な詳細で、ここで開示される技術の説明を曖昧にしないように、省略される。ここで開示される技術の原理、態様及び技術を列挙するここでの全ての記述は、その特定の例と共に、その構造的及び機能的な均等物を両方とも包含することが意図されている。さらに、そのような均等物は、将来開発される均等物、すなわち構造によらず同一の機能を実行する開発された任意の要素のみならず、現在知られている均等物も、両方とも含むことが意図されている。
【０１０３】
したがって、例えば、ここでのブロック図は、実例の回路又は技術の原理を体現する他の機能部の概念図を表し得ることが当業者には理解されるだろう。同様に、任意のフローチャート、状態遷移図等は、コンピュータ可読媒体において実質的に表現され、そのようなコンピュータまたはプロセッサが明示的に示されると否とによらず、コンピュータまたはプロセッサによって実行されうる様々な処理を表すことが理解されるだろう。
【０１０４】
「コンピュータ」「プロセッサ」又は「制御装置」とラベル付けされ又は説明されるものを含むが限定されない、機能ブロックを含む様々な要素の機能は、回路ハードウェアとコンピュータ可読媒体に記憶されたコーディングされた命令の形式でソフトウェアを実行することが可能なハードウェアとの少なくともいずれかのようなハードウェアを使用することを通じて、提供されうる。したがって、このような機能及び説明される機能ブロックは、ハードウェア実装されるものと、コンピュータ実装されるものとの少なくともいずれか、及び機械実装されるものとして、理解されるべきである。
【０１０５】
ハードウェア実装に関して、機能ブロックは、限定なしに、デジタルシグナルプロセッサ（ＤＳＰ）ハードウェア、縮小命令セットプロセッサ、特定用途向け集積回路（ＡＳＩＣ）とフィールドプログラマブルゲートアレイ（ＦＰＧＡ）との少なくともいずれかを含み、それに限定されない（例えばデジタル又はアナログの）ハードウェア回路、及び、（必要に応じて）このような機能を実行することができる状態機械を含み、又は包含し得る。
【０１０６】
コンピュータ実装に関して、コンピュータは、一般に、１つ以上のプロセッサ又は１つ以上のコントローラを有するものと理解されており、用語コンピュータ及びプロセッサ並びにコントローラは、ここでは、それらが交換可能として用いられうる。機能は、コンピュータまたはプロセッサ若しくはコントローラによって提供されるとき、単一の専用のコンピュータまたはプロセッサ若しくはコントローラによって、単一の共有のコンピュータまたはプロセッサ若しくはコントローラによって、又は、それらの一部が共有され又は分配されうる、複数の個別のコンピュータまたはプロセッサ若しくはコントローラによって、提供されうる。さらに、用語「プロセッサ」又は「コントローラ」の使用は、上述の例示のハードウェアのように、そのような機能を実行し、ソフトウェアを実行し、又はその両方を行うことができる他のハードウェアをも参照すると解釈されなければならない。
【０１０７】
以下の専門用語は、整合性及び簡易性のために本開示において使用されうる。ここで開示される技術は、異種無線ネットワークを含むネットワークに適用されうる。
【０１０８】
ここで用いられるように、用語「ノード」は、例えば、高速パケットアクセス（ＨＳＰＡ）、ロングタームエボリューション（ＬＴＥ）、符号分割多元接続（ＣＤＭＡ）２０００、ＧＳＭ（登録商標）などを含む任意の技術、または、マルチスタンダード無線（ＭＳＲ）ノードのように技術の混合物（例えば、ＬＴＥ／ＨＳＰＡ、ＧＳＭ（登録商標）／ＨＳ／ＬＴＥ、ＣＤＭＡ２０００／ＬＴＥなど）を使用するノードを包含し得る。さらに、ここで説明される技術は、１つ以上の無線アクセス技術をサポートする、例えば、基地局、ｅＮｏｄｅＢ、ＮｏｄｅＢ、中継、基地送受信局（ＢＴＳ）、中継ノードとして機能するドナーノード（例えば、ドナー基地局、ドナーＮｏｄｅＢ、ドナーｅＮＢ）などの様々な種類のノードに適用されうる。
【０１０９】
エアインタフェースを用いて通信するノードは、また、適切な無線通信回路を有する。さらに、本技術は、追加的に、プロセッサにここで説明される技術を実行させる適切なコンピュータ命令のセットを含む、ソリッドステートメモリ、磁気ディスク、又は光学ディスクなどの任意のコンピュータ可読メモリの形式の範囲内で、全てが具現化されることを考えることができる。
【０１１０】
上記から理解されるように、歴史的に、ＵＥは、ＵＬ伝送がない場合には、ＵＬ送信タイミング調整を実行しない。すなわち、歴史的に、ＵＥは、あるＴＡＧ内のサービングセルにおいてＵＬ伝送がない場合、そのＴＡＧ内のサービングセルのＵＬ送信タイミング調整を実行しない。サービングセルにおけるＵＬ伝送は、ＴＡグループ内のそのサービングセルに関連付けられたＴＡタイマが起動していない場合、禁止される。結果として、そのセルのＴＡグループに関連付けられたＴＡタイマが起動していない場合には、サービングセルにおけるＵＬ送信タイミング調整が実行されない。
【０１１１】
ＴＡタイマが満了した場合にＵＥがあるＴＡグループに属するサービングセルにおいてＵＬ同期に戻ることを可能とするために、今のところは、ｅＮＢは、基本的に２つの選択肢を有していた。
【０１１２】
１つの選択肢においては、ｅＮＢは、ＵＥに、新しい初期ＴＡ値を得るために、ランダムアクセス手順を実行するように指示する。例えば、ｅＮＢは、非特許文献１に記載され、特に５．１．１節で説明される手順のような指示又はコマンドを送信することによって、ＵＥにランダムアクセス手順を実行するように指示し得る。初期ＴＡ値は、（例えば非特許文献１の５．１．４節に記載のように）ランダムアクセスレスポンスメッセージの一部として送信される。
【０１１３】
他方の選択肢（「後者の選択肢」）は、サービングセルにおいてＵＥがＵＬ同期へ戻るように、ｅＮＢがタイミングアドバンスコマンド（ＴＡＣ）［ＴＡＣ  ＭＡＣ  ＣＥ］をＵＥへ送信することである。ＴＡＣ  ＭＡＣ  ＣＥは、これらの対応するサービングセルのＴＡグループに向けられる。ＴＡＣ  ＭＡＣ  ＣＥは、非特許文献の６．１．３．５節に定義されている。非特許文献１では、ＴＡＣ  ＭＡＣ  ＣＥ内の２つのＲビットが、ＴＡグループ（ＴＡＧ）を指定するのに使用される。ＴＡＣ  ＭＡＣ  ＣＥは、このＴＡグループインジケータ（２ビット）とＴＡＣそのもの（６ビット）を示す。ＴＡＧインジケータは、ＵＥに、どのＴＡＧのＴＡ値を更新すべきかを示し、ＴＡＣは、ＵＥに、どのようにＴＡ値が更新されるべきかを示す。
【０１１４】
（例えばＴＡＣ  ＭＡＣ  ＣＥを使用する）後者の選択肢では、ＵＥは、ＴＡＣ  ＭＡＣ  ＣＥを受信すると、そのＴＡＣに従ってＵＬ送信タイミングを調整し、関連付けられたＴＡタイマを開始するだろう。後者の選択肢は、したがって、最新のＴＡＣ  ＭＡＣ  ＣＥがＵＥに送信されてからＵＥが移動していないとｅＮＢが判定した場合に、ＵＥによって保持されているＴＡ値はまだ有効であると期待できるために、使用されうる。
【０１１５】
最新のＴＡＣ  ＭＡＣ  ＣＥがＵＥに送信されてからＵＥが移動していないことをｅＮＢが判定し得る様々な方法がある。例えば、ｅＮＢは、ドップラーシフトを測定することによりＵＥの速度を監視し、ＵＥが使用したＴＡ値のヒストリを評価し（ＴＡ値の更新値がこのＵＥに決して必要とされていない場合、おそらく、ＵＥは静止し又は非常に遅く動いているだろう）、又は、ＵＥ信号の到来角を見てもよい。ｅＮＢは、ＴＡタイマが満了してからＵＥが遠くへ移動したか又はしていないか、したがって、ＴＡ値が正しいと期待できるかを調べるために、ＧＰＳ測位又は同様のものなど、測位方法を用いることもできる。
【０１１６】
ＴＡタイマが起動していない間にＤＬ受信タイミングがドリフトした場合、以下のいずれかに気付く。（１）ＵＥがＵＬ送信タイミング調整を実行していないだろうこと、したがって（２）ＮTA_Refは実際のＵＬ送信タイミングからドリフトしているだろうこと、そして、（３）したがって、ＵＬ送信タイミングは誤差を含むだろうこと。ＵＥは、ＴＡＣ  ＭＡＣ  ＣＥを受信すると、ＵＬ送信タイミングを更新し、ＮTA_Ref＋ＮTA_offsetに、この新しいＵＬ送信タイミングを設定し、ＤＬタイミングドリフトに起因する誤差は伝播して、更新されたＵＬ送信タイミングを不完全にするだろう。これは、言い換えると、ｅＮＢにおけるＵＥ信号の上りリンク受信の性能を劣化させるだろう。
【０１１７】
上述の課題又は状況の例を、図１１、図１２及び図１３に図解する。図１１は、時刻ｔ１でのＵＥにおける状態を示している。サービングセルについて、（「送信タイミング誤差」としても知られる）参照タイミングと実際のＵＬタイミングとの差Ｔeは小さい。時刻ｔ２では、そのサービングセルのためのＴＡタイマが満了し、満了すると、ＵＥは、自動ＵＬ送信タイミング調整を行わないだろう。図１２に図解される時刻ｔ３において、ＤＬタイミングがドリフトし、したがって、そのセルに対する参照タイミングがドリフトして、したがって、Ｔeが増大する。Ｔeが、自動ＵＬ送信タイミング調整がＵＥに実行されるべき場合の閾値を超えて増大し得るとしても、ＴＡタイマが満了してＵＬタイミング調整が禁止されるため、ＵＥによって、それが行われることはないだろう。ｔ２の直後でありうる時刻ｔ４において、ｅＮＢは、ＵＥがそのセルでＵＬ送信を回復することを望み、ｅＮＢは、ＵＥが最新のＴＡＣ  ＭＡＣ  ＣＥからＵＥが移動していなかったかを判定し、その結果、ｅＮＢは、ＵＥが先に使用されていたＮTAを使用することを期待する、値ゼロを伴うＴＡＣ  ＭＡＣ  ＣＥをＵＥへ送信する。ＵＥは、ＴＡＣ  ＭＡＣ  ＣＥを受信すると、ゼロを用いて実際のＵＬタイミングを更新し、参照タイミングが、図１３に示すように、このタイミングに更新されるだろう。しかしながら、ｅＮＢが値ゼロを伴うＴＡＣ  ＭＡＣ  ＣＥを送信したにもかかわらず、ＮTA_Refが変化し、ドリフトに起因した誤差は、そのＮTA_Refに加算される。図１３に図解するように、ＵＥは、ＵＬ送信タイミングを更新するだろうＴＡＣ  ＭＡＣ  ＣＥを受信しており、タイミングリファレンスは、その新しいタイミングとなるように更新されるだろう。ＵＥは、ＴＡタイマが起動していない時間の間、ＵＬタイミング調整を実行していないため、その間のＤＬタイミングドリフトが、新しいタイミングに堆積するだろう誤差を生み出すだろう。
【０１１８】
（５．０  全体構造及び動作）
ここで開示される技術は、ＴＡタイマが満了中にＤＬ受信タイミングドリフトに起因したＵＬ送信タイミングの誤差を減らし、又は完全に除去する様々な方法の様々な実施形態及びモードを提供する。これらの例示の実施形態は、ＵＬ送信誤差を排除し又は最小化する。これらの例示の実施形態の少なくともいくつかは、所定のルールとネットワーク制御されたシグナリングの組み合わせとの少なくともいずれかを含む。
【０１１９】
図１７は、エア又は無線インタフェース３２を介して通信するノード２８及び少なくとも１つの無線端末（ＵＥ）３０を含む例示の無線通信ネットワーク２０を示している。基地局ノード２８は、無線インタフェース３２を介して無線端末（ＵＥ）３０へ送信される信号（例えばフレーム４４）に含めるためのＴＡＣ制御エレメント（ＴＡＣ  ＭＡＣ  ＣＥ４２）を生成する、ＴＡＣ制御エレメント（ＴＡＣ  ＭＡＣ  ＣＥ）生成部４０を含む。上述の通り、ＴＡＣ  ＭＡＣ  ＣＥは、非特許文献１の６．１．３．５節に定義されている。図１７にさらに示されるように、ＴＡＣ制御エレメント４２はＵＬ送信タイミング更新部５０によって使用される。ＵＬ送信タイミング更新部５０は、あるＴＡグループ内のセルに対するＵＬ送信タイミングを更新する働きをし、関連付けられたＴＡグループのためのＴＡタイマが起動していない場合であっても、それを行う。
【０１２０】
図１８は、例示の比限定的な実施形態によるノード２８及び無線端末（ＵＥ）３０のさらなる詳細を図解している。図１８は、ノード２８のＴＡＣ制御エレメント生成部４０が、ＵＬタイミングコントローラ６０の少なくとも一部を有し又は形成してもよく、ＵＬタイミングコントローラ６０は同様に媒体アクセス制御（ＭＡＣ）エンティティ６２の一部を有し又は形成しうる。ＴＡＣ制御エレメント生成部４０によって生成されるＴＡＣ制御エレメント（ＴＡＣ  ＭＡＣ  ＣＥ４２）は、フレームハンドラ又はフレームマネージャ６４によって、フレーム４４に含められる。フレームマネージャ６４は、無線インタフェース３２を介した下りリンク（ＤＬ）伝送のためのフレーム４４を準備して体裁を整えるのみならず、上りリンク（ＵＬ）において無線端末（ＵＥ）３０からノード２８へ送信されるフレームの解凍又は処理をする働きをも、してもよい。フレーム４４は、通信インタフェース６６を通じて、無線インタフェース３２を介してノード２８によって送信される。通信インタフェース６６は、通常、下りリンク（ＤＬ）におけるフレームのリソースエレメントの伝送のための、そして、また通常、上りリンク（ＵＬ）におけるフレームのリソースエレメントの受信のための複数のアンテナ素子及び関連する電子機器を有する。
【０１２１】
無線端末（ＵＥ）３０のＵＬ送信タイミング更新部５０は、また、ＵＥの上りリンク（ＵＬ）タイミングコントローラ７０の少なくとも一部を有し、又は形成しうる。ノード２８のそれと同様に、ＵＥの上りリンク（ＵＬ）タイミングコントローラ７０は、ＵＥの媒体アクセス制御（ＭＡＣ）エンティティ７２の一部を有し又は形成しうる。無線端末（ＵＥ）３０は、ＴＡＣ制御エレメント（ＴＡＣ  ＭＡＣ  ＣＥ４２）を、ＵＥのフレームマネージャ７４によって、フレーム４４から取得する。ＵＥのフレームマネージャ７４は、無線インタフェース３２を介して受信されるＴＡＣ制御エレメント生成部４０の下りリンク（ＤＬ）のリソースエレメントを処理するだけでなく、無線インタフェース３２を介した伝送のための上りリンク（ＵＬ）のリソースエレメントを用意し又は体裁を整えることをも、行う。無線端末（ＵＥ）３０は、フレーム４４を、通信インタフェース７６によって、無線インタフェース３２を介して受信する。通信インタフェース７６は、通常、下りリンク（ＤＬ）におけるリソースエレメントの受信のための、そして、通常、上りリンク（ＵＬ）におけるフレームのリソースエレメントの伝送のための、複数のアンテナ素子と関連する電子機器とを有する。
【０１２２】
例示の、図１７並びに図１８及び他の図において例を通じて描かれた実施形態及びモードでは、ノード２８のＴＡＣ制御エレメント生成部４０及び無線端末（ＵＥ）３０のＵＬ送信タイミング更新部５０は、マシンプラットフォームによって実現されうる。実際、媒体アクセス制御（ＭＡＣ）エンティティ６２並びにＵＥの媒体アクセス制御（ＭＡＣ）エンティティ７２、及びフレームハンドラ／フレームマネージャなどのノード２８及び無線端末（ＵＥ）３０の他の要素は、マシンプラットフォームによって実現されうる。この目的に向けて、図１７及び図１８は、ノード２８のためのマシンプラットフォーム９０を表すための破線と、無線端末（ＵＥ）３０のためのマシンプラットフォーム９２を表すための破線とを用いており、それぞれのマシンプラットフォームは、基本的に、上述のそれぞれの機能部を有している。専門用語「マシンプラットフォーム」は、ノード２８及び無線端末（ＵＥ）３０の機能部の少なくともいくつかが、機械によってどのように実装され又は実現されうるかを記述する方法である。マシンプラットフォーム９０及び９２は、（例えば）コンピュータ実装プラットフォーム又はハードウェア回路プラットフォームの形式での電子回路など、多数の形式のうちのいずれかを取りうる。マシンプラットフォームのコンピュータ実装は、それらの用語がここでは拡張的に定義され、不揮発性コンピュータ可読記憶媒体に記憶された命令を実行しうるように、１つ以上のコンピュータプロセッサ又はコントローラによって実現され、又は実装されうる。このようなコンピュータ実装では、マシンプラットフォーム９０は、プロセッサに加えて、（同様に、例えば、ランダムアクセスメモリ、読み出し専用メモリ、アプリケーションメモリ（例えばここで説明する動作を実行するためにプロセッサにより実行されうるコーディングされた非命令を記憶する持続性コンピュータ可読媒体）、及びキャッシュメモリなどの他のメモリを含みうる）メモリ部分を有しうる。他の例示の適切なプラットフォームは、例えば特定用途向け集積回路（ＡＳＩＣ）である、ハードウェア回路のものであり、回路エレメントは、ここで説明する様々な動作を実行するように構成され運用される。
【０１２３】
このように、上述を考慮すれば、ＵＬ送信タイミング更新部５０は、コントローラとして、ＵＬ送信タイミング更新を実行するための手段として、上述から理解される他の呼称のなかで、実装されることができ、したがって、参照され又は説明されうる。
【０１２４】
図１７及び図１８のＵＬ送信タイミング更新部５０などの、ここで開示される技術のＵＬ送信タイミング更新部は、あるＴＡグループ内のサービングセルに対するＵＬ送信タイミングを更新するように機能する。具体体には、ここで開示される技術を用いて、ＵＥは、そのＴＡグループに関連付けられたＴＡ値に従って、ＴＡグループ内のセルのＵＬ送信タイミングを変更する。そして、そのＴＡグループ内のセルにおける上りリンク伝送を回復する際に、ＵＥは、それらのセルに対する正しいＴＡ値を使用する。
【０１２５】
ここで開示される技術のＵＬ送信タイミング更新部は、様々な実施形態／モードにしたがって構成されることができ、したがって、様々なモード又は方法で動作しうる。３つの例示の実施形態又はモードが、大まかに図１９に描画されている。第１の例示の実施形態及びモードでは、ＵＬ送信タイミング更新部５０は、ＴＡグループ内のサービングセルに対するＵＥのＵＬ送信タイミングを、タイミングアドバンス参照値（ＮTA_Ref）とタイミングアドバンスオフセット値（ＮTA_offset）との和によって、例えば、和ＮTA_Ref＋ＮTA_offsetによって、オフセットされたそのＴＡグループのＤＬ受信タイミングとなるように、更新する。第２の例示の実施形態及びモードでは、ＵＬ送信タイミング更新部５０は、ＴＡグループ内のサービングセルに対するＵＥのＵＬ送信タイミングを、現在使用されている（ＮTA）によって、オフセットされたそのＴＡグループのＤＬ受信タイミングとなるように、更新する。第３の例示の実施形態及びモードでは、ＵＬ送信タイミング更新部５０は、関係するサービングセルにおけるＵＬ伝送がない場合であっても、ＴＡタイマが起動していないときに、各ＴＡグループ内のＤＬのセルの送信タイミングに従うように、自動でそのＵＬタイミング調整を実行し、調整する。
【０１２６】
上述の図１９に大まかに図解された３つの例示の実施形態又はモードについて、以下でより詳細に説明され、図２３によって図解されると共に対比される。
【０１２７】
例示の実施形態では、１つより多くの例示の実施形態又はモードが規定される場合、ネットワークノード又はＵＥは、ここでの５．５節で説明されるように、同様に１つ以上の選択基準に基づく、ネットワークからの受信情報と所定のルールとの少なくともいずれかに基づいて、ＵＬタイミング調整のための方法を選択しうる。
【０１２８】
（５．１  第１の例示の実施形態／モード：ＮTA_Ref及びＮTA_offsetに基づくタイミング調整）
第１の例示の実施形態又はモードでは、無線端末（ＵＥ）３０は、関連付けられたＴＡタイマが起動していないときにＴＡＣ  ＭＡＣ  ＣＥを適用する前に、そのＴＡグループに属するサービングセルに対するＵＬ送信タイミングを、オフセット量ＮTA_Ref＋ＮTA_offsetによってオフセットされたそのＴＡグループのＤＬ受信タイミングとなるように、更新しうる。この第１の例示の実施形態の方法は、所定のルールに基づく。また、ＵＥは、この方法に関連付けられた所定の要求の１つ以上のセットを満たすことが要求されうる。その要求は、このルールの適用後の残存送信タイミング誤差（例えば±２Ｔｓ）に関して表されうる。この方法に関連付けられた所定の要求は、また、ＴＡグループ（ＴＡＧ）内のセルの帯域幅又はそのＴＡＧ内のタイミングリファレンスセルの帯域幅（ＢＷ）に依存しうる。
【０１２９】
この第１の例示の実施形態の方法を用いる場合、それらのサービングセルにおいてＴＡＣ  ＭＡＣ  ＣＥを適用した後にＵＥが使用する実際のＵＬタイミングは、誤差を含まず、例えば、図１４に描かれるように、Ｔeは、ゼロ又は無視できる（例えば、±２Ｔｓを超えない）だろう。図１４は、例えば、第１の例示の実施形態が適用された別の時刻ｔ４の直前の時刻を示している。ＵＥは、実際のＵＬタイミングを、ＮTA_Ref＋ＮTA_offset（すなわち、参照タイミング）によってオフセットされたＤＬタイミングとなるように、調整している。続く時刻ｔ４において、ＵＥは、ＴＡＣ  ＭＡＣ  ＣＥを適用して実際のＵＬタイミングを更新し、参照タイミングは、この更新された実際のＵＬタイミングに設定されるだろう。ＵＬ送信タイミングは、時刻ｔ４において、ＤＬタイミングドリフトに起因する誤差を含まないだろう。
【０１３０】
（５．２  第２の例示の実施形態／モード：ＮTAに基づくタイミング調整）
第２の例示の実施形態又はモードでは、ＵＥは、関連付けられたＴＡタイマが起動していないときにＴＡＣ  ＭＡＣ  ＣＥをＴＡ値に適用する前に、そのＴＡグループに属するサービングセルに対するＵＬ送信タイミングを、オフセット量ＮTAによってオフセットされたそのＴＡグループのＤＬ受信タイミングとなるように、更新するだろう。この第２の例示の実施形態の方法も、所定のルールに基づく。また、ＵＥは、この方法に関連付けられた所定の要求の１つ以上のセットを満たすことが要求されうる。要求は、このルールの適用後の残存送信タイミング誤差（例えば、Ｔeが±１０Ｔｓを超えない）に関して表されうる。この方法に関連付けられた所定の要求は、また、ＴＡグループ（ＴＡＧ）内のセルの帯域幅又はそのＴＡＧ内のタイミングリファレンスセルの帯域幅（ＢＷ）に依存しうる。
【０１３１】
この第２の例示の実施形態の方法を用いる場合、それらのサービングセルにおいてＴＡＣ  ＭＡＣ  ＣＥを適用した後にＵＥが用いる実際のＵＬタイミングは、ＴＡタイマの満了前と等しい大きさの誤差を含む、すなわち、図１５に図解されるように、ＴeはＴＡタイマの満了前と同じであろう。図１５は、例えば、第２の例示の実施形態の方法が適用された別の時刻ｔ４の直前の時刻を示している。ＵＥは、実際のＵＬタイミングを、ＮTAによってオフセットされたＤＬタイミングとなるように、調整している。続く時刻ｔ４において、ＵＥは、ＴＡＣ  ＭＡＣ  ＣＥを適用して実際のＵＬタイミングを更新し、参照タイミングは、この更新された実際のＵＬタイミングに設定されるだろう。時刻ｔ４において、ＵＬ送信タイミングは、ＤＬタイミングドリフトによらず、ＴＡタイマ満了前と等しい大きさの誤差を含むだろう。
【０１３２】
（５．３  第３の例示の実施形態／モード：ＵＬ伝送のない場合のタイミング調整）
第３の例示の実施形態又はモードでは、ＵＥは、関係するサービングセルにおいてＵＬ伝送がない場合であっても、ＴＡタイマが起動していないときに、各ＴＡグループにおけるＤＬのセルの送信タイミングに従うように自動ＵＬタイミング調整を実行するだろう。これは、ＵＥが、ＵＬ伝送がある場合とＵＬ伝送がない場合との両方の場合において、ＵＬタイミングを調整するだろうことを意味する。この第３の例示の実施形態の手順は、ＵＥに、上りリンクで送信していない場合であっても、その送信器を（ここで説明するＵＬ送信調整を実行できる）ある限度において、起動したままにしておくことを要求する。この点で、送信器は、送信することなく「起動」していることができ、例えば、その送信器の無線周波数（ＲＦ）コンポーネントをＯＮのままにして、その送信器は、必ずしも送信することなく、その実際のＵＬタイミング（例えば、ＵＬタイミングパラメータ）を調整することができる。対照的に送信器が起動していない場合、ＲＦコンポーネント（例えば電力増幅器）は、シャットダウンされることができ、したがって、ときおり、例えば少なくとも数百μ秒ごとに、送信を開始する必要がありうる（場合によっては、１つ以上のスロット又はサブフレームさえも、失うこととなる）。
【０１３３】
利点は、ＵＥが上りリンク伝送を回復するときに、その上りリンクタイミングが、ＵＥが調整を行わない既存のソリューションと比して、誤差が小さくなるだろうことである。基本原理は所定のルールに基づく。しかしながら、ＵＥによって使用される所定のパラメータは、後述するように、予め定められてもよいし、ネットワークによってシグナリングされてもよいし、その両方であってもよい。
【０１３４】
ＵＬ伝送がない場合にＵＥがＵＬタイミング調整を実行する（「スルーレート（slew rate）」としても知られる）レートに関連付けられたパラメータ及びそれらの値は、予め定められてもよいし、ネットワークによってシグナリングされてもよいし、予め定められると共にネットワークによってシグナリングされてもよい。ネットワークによってシグナリングされる場合、パラメータは、サービングネットワークノード、例えばｅＮＢによって、そして、無線リソース制御（ＲＲＣ）又は媒体アクセス制御（ＭＡＣ）などのユニット又は機能性により、生成され、送信され、又は生成されると共に送信されることができ、ＲＲＣとＭＡＣとの少なくともいずれかのプロトコルを用いてシグナリングされうる。これらのパラメータは、予め定められ（例えば規格によって設定され）てもよく、その場合、無線端末（ＵＥ）３０は、その値を用いてハードコードされうる。異なる状況に対して、異なるパラメータの値が適用可能であってもよい。別の選択肢は、無線端末（ＵＥ）３０が、例えばチャネル品質等であるいくつかのパラメータによって、これらの値を決定することである。これらのパラメータ（例えば「スルーレートパラメータ」）及びそれらの値は、ＵＬ伝送がある場合にＵＥがそのＵＬタイミングを調整するために用いるものと比して同じであってもよいし異なってもよい。このルール、例えば、ＵＥが同じパラメータを使用すべきか否か、は、予め定められていてもよいし、ネットワークによって示されてもよい。
【０１３５】
ＵＥがそのタイミングを調整するスルーレートパラメータの本質及び種類は、当業者に走られており、または理解可能である。この第３の例示の実施形態を実装する場合、ＵＥは、ＵＥが上りリンクで送信しない場合にその送信器を起動したままにしておく範囲を特定するための（おそらく異なる値が用いられるにも関わらず）同種のスルーパラメータを使用しうる。このような一般的なタイプのスルーレートパラメータは、以下を含み（しかしそれに限定されない）、又は、以下を考慮する：
・１つの調整ステップにおける上りリンクタイミングの変化の最大量はＴ１、例えば１００ｎｓである。
・最小の堆積される上りリンクタイミング調整レートは、所定時間に対してＴ２であり、例えば、毎秒ごとに３００ｎｓである。
・最大の堆積される上りリンクタイミング調整レートは、所定期間に対してＴ３であり、例えば、２００ｍｓ毎に１μｓである。
【０１３６】
さらに、上述のパラメータ（それぞれの時間期間に対する最大又は堆積される、最小又は最大の、調整ステップ）は、以下の１つ以上のファクタに依存してもよい：
・以下のものの最大帯域幅の送信信号（例えばＣＲＳ信号）
・ＴＡグループ、例えば、下りリンクのセルの伝送帯域幅と上りリンク伝送帯域幅との少なくともいずれか、の内のサービングセルの全て又はグループ、又は
・ＴＡグループ、例えば、下りリンクのセルの伝送帯域幅と上りリンク送信帯域幅との少なくともいずれか、の内のタイミングリファレンスセル。
・キャリアアグリゲーション手法の種類、例えば、バンド内連続ＣＡ、バンド内不連続ＣＡ、バンド間ＣＡなど。
・ＵＥアクティビティファクタ、例えば、ＵＥが非ＤＲＸにあるかＤＲＸにあるか、ＤＲＸにある場合のＤＲＸ長、ＤＴＸにあるか否か、ＤＴＸにある場合のＤＴＸ長など。
・物理チャネルの種類、例えば、ＰＵＳＣＨなどのＵＬデータチャネル、ＰＵＣＣＨなどのＵＬ制御チャネルなど。
・ＣＡ又はＣＯＭＰに関するセルが同じ位置にあるか否か。
・無線特性、例えば、ユーザ速度、より大きい遅延スプレッドなどの無線環境、都市などの配置シナリオなど。
【０１３７】
同様に、調整を実行するのに必要な最小のＴe（すなわち、調整を開始するようにＵＥにトリガを与えるＴe）は、予め定められてもよいし、ネットワークによってシグナリングされてもよいし、その両方であってもよい。Ｔe値は、追加のファクタに、例えば、ＴＡグループ内のタイミングリファレンスセルの帯域幅、ＴＡグループ内のサービングセルの最大帯域幅などに、依存してもよい。
【０１３８】
ＵＥは、また、この第３の例示の実施形態の方法に関連付けられた１つ以上の所定の要求のセットを満たすことが要求されうる。その要求は、このルールを適用した後にＵＥによって満たされるべき１つ以上のパラメータ値に関して表されうる。例えば、それらは、残存送信タイミング誤差（例えば、±２０Ｔｓより悪くないこと）、タイミング調整ステップの正確さ（例えば、±１０Ｔｓより悪くないこと）など、に関して表されてもよい。この第３の例示の実施形態の方法に関連付けられた所定の要求は、上でリスト化された１つ以上のパラメータ、例えば、ＴＡグループ（ＴＡＧ）内のセルの帯域幅、ＴＡＧ内のタイミングリファレンスセルのＢＷ、キャリアアグリゲーションの種類、に依存してもよい。
【０１３９】
ＤＬタイミングがドリフトする場合、ＵＥは、この第３の例示の実施形態に従って、実際のＵＬタイミングを調整し、図１６に図解されるもののような方法で、誤差を低減する。図１６は、例えば、第３の例示の実施形態が適用された他の時刻ｔ４の直前の時刻を示している。実際のＵＬタイミングは、ＴＡタイマが満了した時間の間、徐々に調整され、ここでは、破線が、ＴＡタイマが満了した時間の間の実際のＵＬタイミング調整を示している。続く時刻ｔ４において、ＵＥは、ＴＡＣ  ＭＡＣ  ＣＥを適用して実際のＵＬタイミングを更新し、参照タイミングはこの更新された実際のＵＬタイミングに設定されるだろう。時刻ｔ４におけるＵＬ送信タイミングは、Ｔｅに対する閾値より小さい誤差を含むだろう。
【０１４０】
上述の３つの実施形態又はモードについて、図２４にも図解する。これらの実施形態は、ＵＥによって実装され、又は実行される。ＵＥは、ネットワークノードから、無線インタフェースを介して、タイミングアドバンスコマンド（ＴＡＣ）制御エレメント（ＣＥ）を受信する（Ｓ１００）。
【０１４１】
（５．１でも上述した）第１の例示の実施形態では、ＴＡＣ  ＣＥを受信すると、ＴＡグループ内のセルに対するＵＬ送信タイミングは、関連付けられたＴＡグループのためのＴＡタイマが起動していないときであっても、更新される（Ｓ１１０）。この実施形態により、本方法は、また、ＴＡグループ内のセルに対するＵＬ送信タイミングを、タイミングアドバンス参照値（ＮTA_Ref）及びタイミングアドバンスオフセット値（ＮTA_offset）の和によってオフセットされたそのＴＡグループのＤＬ受信タイミングとなるように、更新すること（Ｓ１２０）を含む。
【０１４２】
（５．２でも上述した）第２の例示の実施形態では、ＴＡＣ  ＣＥを受信すると、ＴＡグループ内のセルに対するＵＬ送信タイミングは、関連付けられたＴＡグループのためのＴＡタイマが起動していないときであっても、更新される（Ｓ１１０）。この実施形態では、本方法は、さらに、ＴＡグループ内のセルに対するＵＬ送信タイミングを、現在使用されているタイミングアドバンス値（ＮTA）によってオフセットされたそのＴＡグループのＤＬ受信タイミングとなるように、更新すること（Ｓ１３０）を含む。
【０１４３】
（５．３でも上述した）第３の例示の実施形態では、本方法は、さらに、関係するサービングセルにおいてＵＬ伝送がない場合であっても、ＴＡタイマが起動していないときに、各ＴＡグループ内のＤＬのセルの送信タイミングに従うように、自動ＵＬタイミング調整を実行することにより、ＴＡグループ内のセルに対するＵＬ送信タイミングを更新すること（Ｓ１４０）を含む。
【０１４４】
（５．４  サポートされるタイミング調整方法を示すためのＵＥ能力報告）
先の節（５．１〜５．３）に記載される、１つ以上のＵＬタイミング調整の実施形態又はモード、例えば、第１から第３の例示の実施形態は、全てのＵＥによってサポートされないかもしれない。したがって、ここで開示される技術のさらなる態様によれば、このような能力（すなわち、５．１節〜５．３節に記載の方法／モード）をサポートするＵＥは、自身が、上述の１つ以上の方法に従ってそのタイミングを調整することができることを、ネットワークノード（例えば、サービングｅＮＢ）へ報告しうる。図２０に示すように、無線端末（ＵＥ）３０は、無線端末（ＵＥ）３０がこのような能力をサポートすることをノード２８へ知らせる、メッセージ、信号、又は他の適切な通知を生成するように構成される能力通知部７８を含みうる。能力通知部７８は、例えば、ＲＲＣエンティティ／コントローラ又はＭＡＣエンティティ／コントローラなどの、無線端末（ＵＥ）３０の他の適切なユニットの一部を有し又は形成してもよい。１つの非制限的な例では、能力通知部７８は、それによって無線端末（ＵＥ）３０がＲＲＣプロトコルなどのシグナリングプロトコルを用いてその能力をシグナリングするＲＲＣエンティティ／コントローラである。図２０は、このような無線端末（ＵＥ）３０の能力通知部７８によって生成されると共にノード２８へ送信されるＵＬのフレーム４４の一部に含まれる「ＵＬタイミング調整能力」メッセージ又は信号をノード２８へ送信する、例示の無線端末（ＵＥ）３０を示している。「ＵＬタイミング調整能力」メッセージ又は信号は、既存のメッセージ又は信号（例えば、他の用途にも使用されているメッセージ又は信号）に含まれてもよいし、専用の信号又はメッセージであってもよい。
【０１４５】
報告される能力を含む信号又はメッセージは、また、追加の情報を含んでもよい。例えば、追加の能力情報は、ＵＬタイミング調整のその能力がサポートされる、周波数帯域インジケータと、ＣＡシナリオ（例えば、バンド間、バンド内など）との少なくともいずれかを含んでもよい。能力情報は、また、ＵＥが所定のパラメータを使用すること、と、所定のパラメータ（例えば、ここでの５．３節で説明したようなパラメータ）で設定される必要があることとの少なくともいずれかであるか否かを示しうる。
【０１４６】
また、取得される能力情報は、オプションとして、サービングネットワークノードによって、図２０に示される「無線アクション」シンボルで表される、１つ以上の無線動作タスク又はアクションを実行するために使用されてもよい。無線動作タスクの例は、（１）複数のＴＡグループをＵＥにおいて設定する場合の、ＵＬタイミング調整に使用する方法に関する決定を行うこと、（２）ＵＥタイミングを調整するため又は従来の手順を使用するための情報又はパラメータのセットを送信するかを決定すること、（３）所定の方法でＵＥを設定する場合に含まれるべき情報及びパラメータを決定すること、などを含むが、これに限定されない。
【０１４７】
ＵＥは、以下の方法のいずれかで、能力情報をネットワークノードへ送信しうる。
【０１４８】
・ネットワークノード（例えば、サービング又は任意のターゲットネットワークノード）から、明示の要求を受信することのない積極的な報告
積極的な報告では、ＵＥは、その能力を、以下の１つ以上の機会の間に報告しうる：
−初期設定または呼設定の間、例えば、ＲＲＣ接続を確立するとき。
−セル変更の間、例えば、ハンドオーバ、マルチキャリア動作におけるプライマリキャリアの変更、マルチキャリア動作におけるＰＣｅｌｌ変更、ＲＲＣ再確立、リダイレクトを伴うＲＲＣ接続解放など。
【０１４９】
・ネットワークノード（例えば、サービング又は任意のターゲットネットワークノード）からの明示の要求を受信したことに応じた報告
任意の明示のリクエストを受信したことに応じた報告の場合、任意の時に又は任意の特定の機会において、明示の要求がネットワークによってＵＥへ送信されうる。例えば、その能力報告に対する要求は、初期設定の間又はセル変更（例えば、ハンドオーバ、ＲＲＣ接続再確立、リダイレクトを伴うＲＲＣ接続解放、ＣＡにおけるＰＣｅｌｌの変更、ＰＣＣにおけるＰＣＣの変更など）の後に、ＵＥへ送信されうる。
【０１５０】
（５．５  ＵＬタイミング調整方法及びその指標の選択方法）
ここで開示される技術のこの態様によれば、ＵＬタイミング調整のための１つより多くの方法（例えば、ここでの５．１節〜５．３節の１つより多くの実施形態／モード）が特定される場合、ネットワークノード（例えば、ｅＮＢ）は、１つ以上の基準を用いて、図２１の例を通じて図解される方法で、複数のＴＡグループがＵＥにおいて設定される場合の最も適したＵＥのＵＬタイミング調整の方法を選択しうる。ノード２８における任意の適切なユニット又は機能性がその選択を行う働きをしてもよい。例えば、このような選択ユニット又は機能性は、ＭＡＣエンティティ／コントローラ又はＲＲＣエンティティ／コントローラを含みうる。
【０１５１】
ここで開示される技術の別の態様によれば、方法（例えば、ここでの５．１節〜５．３節の実施形態／モードの１つ）の選択は、ＵＥによってなされ、１つ以上の所定のルールに基づいて、図２２の例を通じて図解される方法で、選択されてもよい。これらのルールは、ネットワークにより使用されるのと同じ選択基準に基づいてもよい。これらの基準は、ネットワークノードについて後述されるが、ＵＥによってその選択が行われる場合にもそれらを適用する。
【０１５２】
上述の実施形態又はモードについて、図２５にも図解する。これらの実施形態は、ネットワークノード（例えばｅＮＢ）によって実装され、又は実行されうる。ネットワークノードは、エアインタフェースを介して、ＵＥと、情報を通信しうる（Ｓ２００）。ネットワークノードは、さらに、ＵＥのＵＬタイミング調整のための最適な方法又は更新モードの選択を行う（Ｓ２１０）ことができる。ネットワークノードがその選択を行いうる異なる更新モードは５．１節〜５．３節を参照してここで上述されており、ここではさらに詳細を述べない。ネットワークノードは、その選択を行うと、対象のＵＥへの選択された更新モードについての情報を送信するように構成される。いくつかの実施形態では、ネットワークノードは、無線端末が、関連付けられたＴＡグループのためのＴＡタイマが起動していない場合であっても、ＴＡグループ内のサービングセルに対するＵＬ送信タイミングを更新することができることの情報を、その無線端末から受信しうる。
【０１５３】
（５．５．１  ＵＬタイミング調整の方法の選択基準）
１つの基準は、特定の方法をＵＥがサポートすることが必須でない場合には、ＵＥ能力に基づく。例えば、ここでの５．４節で説明したように、ネットワークノード（例えば、サービングｅＮＢ）は、ＵＥ能力に応じて、どの方法を使用するかを決定することができる。所定のＵＥが１つより多くの方法をサポートする場合、ネットワークは、追加の基準を用いてもよい。追加の基準の例は、以下である。
・ＵＬタイミング調整の後の残存送信誤差。例えば、ネットワークは、最小の又は誤差がないことを望む場合、６．１節で説明された方法を選択しうる（ここでは、すなわち、Ｔeがゼロになる）。
・現在のＵＬ送信誤差。例えば、ネットワークは、現在の送信誤差が小さいことを認知している場合、５．２節で説明された方法を選択しうる（ここでは、例えば、ＴeはＴＡタイマ満了前と同じで維持される）。
・頻繁な、若しくは大きい、又は頻繁かつ大きいＤＬタイミングドリフト。例えば、ネットワークがサービングセルの１つ以上におけるＤＬタイミングドリフトが頻繁であることと大きいこととの少なくともいずれか（例えば、１００ｍｓ〜１秒に対して１〜３μｓ）であることを認知すると、ネットワークノードは、５．３節で説明された方法を選択しうる（ここでは、例えば、ＵＥはＵＬ伝送を伴わなくともタイミングを調整する）。
・データ又はサービスの重要性に基づいてサービスを選択することができる。例えば、ネットワークとＵＥとの間で通信されるデータがより重大若しくは繊細又は遅延に影響を受けやすい場合などに、ここでの５．１節における方法のように最小の誤差を導く方法が選択されうる。
・より重大若しくは重要な情報又は重大な制御情報を含むセルについてのＴＡグループ（ＴＡＧ）に対して、より堅牢な方法が選択されてもよい。例えば、ＰＣｅｌｌを含むＴＡＧは、ここでの５．１節又はここでの５．３節の方法のようなより堅牢な方法を使用しうる。他のＴＡＧでは、ネットワークは、例えばここでの５．２節で述べられたような、比較的堅牢でない方法を選択してもよい。
・選択は、無線環境又は無線チャネル特性に基づいて、例えば、ＵＥの速度、ドップラー、マルチパス遅延プロファイルなどに応じてもよい。例えば、大きい遅延スプレッドを有する環境又はより分散的なチャネル（例えば、都市チャネル又は遅延スプレッドが２マイクロ以上である場合）において、５．３節の方法が選択されうる。これは、セルタイミングが、チャネル特性に起因して継時的に変化しうるため、そして、ＵＥが、ＵＬ伝送がない場合であっても上りリンクタイミングを調整するためにＤＬタイミングに従うべきであるためである。
【０１５４】
（５．５．２  ＵＥにおいてＵＬタイミング調整の選択された方法に関する情報の取得方法）
上述の通り、ＵＥは、ネットワーク指標に基づいて、所定のルールに基づいて自動で、の少なくともいずれかで、（例えば、上述の例示の実施形態／モードのうちの１つから）方法を選択することができる。これについては後述する。
【０１５５】
（５．５．２．１  ネットワークノードにおいてＵＬタイミング調整の選択された方法についてＵＥに通知する方法）
１つ以上の基準を用いて特定のＵＥのための方法を選択した後に、ネットワークノード（例えば、サービングｅＮｏｄｅＢ）は、ＵＥに、メッセージ又は任意の指標を送信することにより、そのＵＬタイミング調整のための特定の方法を用いることを通知する。ネットワークノードは、また、ＵＬタイミング調整の方法に応じて、ＵＥに、設定可能なパラメータを送信しうる（例えば、５．３節の方法は、ＵＥにシグナリングされるべき１つ以上のパラメータのセットを要求しうる）。ネットワークは、ＵＥに、そのＵＥによって使用される異なるＴＡＧ内のＵＬタイミングを調整する方法に特に関する追加の情報を送信してもよい。例えば、ネットワークは、全てのＴＡＧで若しくはＴＡＧの少なくとも一群に対して同一の方法が使用されるか、又は異なるＴＡＧに対して異なるＴＡＧが使用されるかをＵＥに示してもよい。（例えば、ネットワークによってＵＥへ明示的に示されていない場合）デフォルトで、ＵＥは、がすべてのＴＡＧに対して同一の方法を使用するだろうことが予め定められていてもよい。ネットワークは、ネットワークノードとＵＥとの間での適切なシグナリングプロトコル、例えばＲＲＣシグナリングとＭＡＣシグナリングとの少なくともいずれかを介して、ＵＥへ、これらの情報のセットを送信してもよい。
【０１５６】
ＵＥが所定のルールに基づいて自動で方法を選択したとしても、ネットワークノードは、まだ、設定可能な１つ以上のパラメータ、例えば、５．３節の方法に関する１つ以上のパラメータ、同一の又は異なる方法がすべてのＴＡＧに使用されるべきか否かの指標、を送信しうる。
【０１５７】
（５．５．２．２  ＵＥにおいてＵＬタイミング調整の選択された方法を用いる方法）
ＵＥは、ネットワークノードからの情報を受信すると、ＵＬタイミング情報に用いられるべき方法を決定する。ＵＥは、１つ以上のＴＡＧに対して、受信情報と所定のルールとの少なくともいずれかに従って、ＵＬタイミングを調整するために選択された方法を用いることを開始する。
【０１５８】
ＵＥが所定のルールに基づいて自動で方法を選択する場合、ＵＥは、サービングネットワークノードに、ＵＥが使用する方法について報告してもよい。ＵＥは、また、サービングネットワークノードに対して、追加の情報を提供してもよい。情報は、また、例えば、１つ以上のＴＡＧに対する特定の方法が使用される時間区間、その方法が使用される期間などを含みうる。サービングネットワークノードは、リアルタイムで、ＵＥからの受信情報を、他のネットワークノードへ送信してもよい。無線ネットワークノードは、また、所定の時間期間において統計値を集め、その統計値を他のネットワークノードへ報告してもよい。他のネットワークノードの例は、隣接基地局（例えば、ｅＮＢは、Ｘ２インタフェースを介して他のｅＮＢへ送信する）、測位ノード（ＬＴＥにおけるＥ−ＳＭＬＣ）、サードノード、ＭＤＴノード、ＳＯＮノード、Ｏ＆Ｍノード、ＯＳＳノード、ネットワーク監視ノード、ネットワーク計画ノードなどである。受信側の他のネットワークノードとサービングネットワークノードとの少なくともいずれかは、１つ以上のネットワーク管理タスクのためにこの情報を使用しうる。ネットワーク管理タスクの例は、ネットワーク／セル計画、ネットワークパラメータの設定、ネットワークディメンショニング（例えば、領域内の多数のノードの配置）、セル間の時間同期の調整（例えば、同期レベルの改善）、使用されるべきキャリアアグリゲーションの種類（例えばバンド内又はバンド間）、ＣＡで使用されるべきＴＡＧの数などである。
【０１５９】
（６．０  例示の利点）
以下は、ここで開示される技術のいくつかの例示の利点である：
・ＤＬタイミングドリフトは、一般的に、ＵＬ送信タイミングにおいて誤差を生み出す。ここで開示される技術を用いて、ＵＬ送信タイミングにおける誤差を軽減され、又は完全に除去されるだろう。
−バーストトラフィック又はリソース割り当てがないことに起因して、ＵＥは、ＵＬにおいて継続的に送信しないかもしれない。開示の技術の結果、ＵＬ伝送がない場合であっても、ＵＥは、なお、その送信タイミングを、例えば、参照タイミングセルのＤＬタイミングに従うことにより、調整することができるだろう。同様に、これは、ＵＥが、ＵＬ送信を回復する際に誤った送信タイミングで送信することを防ぐ。一般に、ｅＮＢ受信器は、同様にＤＬ  ｅＮＢ送信タイミングにおける任意のドリフトに基づいて推定される所定の期待されるＵＬ送信タイミングに調整される。したがって、ＵＬ送信タイミングにおける誤差又は大きな誤差が、ｅＮＢで受信されるＵＬ信号の受信誤差を引き起こすだろう。信号の誤った受信は、パケット送信遅延及びＵＬスループットの喪失を増大させる、信号の再送を必要とするだろう。しかしながら、開示の技術の利点により、ｅＮＢ受信器におけるＵＬ信号の復号問題を排除し、又は最小化し、したがって、ＵＬ性能を向上させることができる。
・様々な要求に従って、様々なシナリオにおいて、タイミング誤差を軽減するためのＵＬ送信タイミング調整のための様々な方法が選択されうる。
【０１６０】
（７．０）  例示の略語
以下は、ここで採用されている略語である。
【０１６１】
３ＧＰＰ                第３世代パートナーシッププロジェクト
ＡＣＫ                  肯定応答
ＡＧＷ                  アクセスゲートウェイ
ＡＬ                    アグリゲーションレイヤ
ＡＲＱ                  自動再送要求
ＣＡ                    キャリアアグリゲーション
ＣＣ                    コンポーネントキャリア
ＣＣＥ                  制御チャネルエレメント
ＣＥ                    制御エレメント
ＣＦＩ                  制御フォーマットインジケータ
ＣＰ                    サイクリックプリフィックス
ＣＲＣ                  巡回冗長検査
ＣＲＳ                  共通参照シンボル
Ｃ−ＲＮＴＩ            セル−無線ネットワーク一時識別子
ＤＦＴ                  離散フーリエ変換
ＤＬ                    下りリンク
ＤＬ−ＳＣＨ            下りリンク共有チャネル
ＤＲＸ                  不連続受信
ＤＴＸ                  不連続送信
ｅＮＢ                  エボルブＮｏｄｅＢ（ｅＮｏｄｅＢ）
Ｅ−ＵＴＲＡＮ          エボルブドＵＴＲＡＮ
ＨＡＲＱ                ハイブリッドＡＲＱ
ＨＯ                    ハンドオーバ
ＬＴＥ                  ロングタームエボリューション
ＭＡＣ                  媒体アクセス制御
ＭＤＴ                  ドライブテストの最小化
ＭＳＧ                  メッセージ
ＮＡＣＫ                否定応答
ＮＷ                    ネットワーク
ＯＦＤＭ                直交周波数分割多重
Ｏ＆Ｍ                  運用及び保守
ＯＳＳ                  運用サポートシステム
ＰＣＣ                  プライマリコンポーネントキャリア
ＰＣｅｌｌ              プライマリセル
ＰＤＣＣＨ              物理下りリンク制御チャネル
ＰＤＳＣＨ              物理下りリンク共有チャネル
ＰＲＡＣＨ              物理ランダムアクセス制御チャネル
ＰＲＢ                  物理リソースブロック
ｐＴＡＧ                ＰＣｅｌｌタグ
ＰＵＣＣＨ              物理上りリンク制御チャネル
ＰＵＳＣＨ              物理上りリンク共有チャネル
ＲＡＣＨ                ランダムアクセス制御チャネル
ＲＡ                    ランダムアクセス
ＲＡ−ＲＮＴＩ          ランダムアクセス−無線ネットワーク一時識別子
ＲＢ                    リソースブロック
ＲＡＮ                  無線アクセスネットワーク
ＲＦ                    無線周波数
ＲＮＣ                  無線ネットワーク制御装置
ＲＮＴＩ                無線ネットワーク一時識別子
ＲＲＣ                  無線リソース制御
ＳＡＥ                  システムアーキテクチャエボリューション
ＳＣＣ                  セカンダリコンポーネントキャリア
ＳＣｅｌｌ              セカンダリセル
ＳＯＮ                  自己組織化ネットワーク
ＴＡ                    タイミングアドバンス
ＴＡＣ                  タイミングアドバンスコマンド
ＴＡＧ                  タイミングアドバンスグループ
ＴＲ                    タイミングリファレンス
ＴＣ−ＲＮＴＩ          一時セル−無線ネットワーク一時識別子
ｓＴＡＧ                ＳＣｅｌｌタグ
ＵＥ                    ユーザ端末
ＵＬ                    上りリンク
ＵＬ−ＳＣＨ            上りリンク共有チャネル
ＵＭＴＳ                ユニバーサル移動体通信システム
ＵＴＲＡＮ              ユニバーサル地上無線アクセスネットワーク
ＶＲＢ                  仮想リソースブロック
ＷＣＤＭＡ（登録商標）  広帯域符号分割多元接続。
【０１６２】
上述の説明は多くの特定物を含んでいるが、これらは、本発明の範囲を限定するように解釈されるべきでなく、この発明の現時点で好ましい実施形態のいくつかの例証を与えたに過ぎない。本発明の範囲は当業者にとって明らかになり得る他の実施形態を完全に包含すること、及び、したがって、本発明の範囲は限定されるべきでないことが理解されるだろう。単数形の要素への参照は、明示的に言及されない限りは、「１つそしてただ１つ」を意味することが意図されたものではなく「１つ以上」を意味することが意図されている。当業者に知られている上述の実施形態の要素に対する全ての構造的な及び機能的な均等物は、ここで参照によって明示的に組み込まれ、また、これにより包含されることが意図される。さらに、装置又は方法が、本発明により解決されようとされる各及び全課題に対処する必要はなく、これにより包含される。最後に、請求項における参照記号は、明快な例としてのみ提供されるのであって、決して請求項の範囲を限定すると解釈されるべきではない。
【図１】
2015516775.tif 000003
【図２】
2015516775.tif 000004
【図３】
2015516775.tif 000005
【図４】
2015516775.tif 000006
【図５】
2015516775.tif 000007
【図６】
2015516775.tif 000008
【図７】
2015516775.tif 000009
【図８】
2015516775.tif 000010
【図９】
2015516775.tif 000011
【図１０】
2015516775.tif 000012
【図１１】
2015516775.tif 000013
【図１２】
2015516775.tif 000014
【図１３】
2015516775.tif 000015
【図１４】
2015516775.tif 000016
【図１５】
2015516775.tif 000017
【図１６】
2015516775.tif 000018
【図１７】
2015516775.tif 000019
【図１８】
2015516775.tif 000020
【図１９】
2015516775.tif 000021
【図２０】
2015516775.tif 000022
【図２１】
2015516775.tif 000023
【図２２】
2015516775.tif 000024
【図２３】
2015516775.tif 000025
【図２４】
2015516775.tif 000026
【図２５】
2015516775.tif 000027
【国際調査報告】
2015516775.tif 000028
2015516775.tif 000029
2015516775.tif 000030
2015516775.tif 000031
2015516775.tif 000032